(57)【要約】【課題】音楽情報または関連音楽情報の提供を受けるユーザが各ウェブサイトで容易に情報の提供を受けることが可能な送信支援方法を提供する。【解決手段】Ｗｅｂサーバ３Ａは楽曲データを携帯電話機２へ送信する。Ｗｅｂサーバ３Ｂ、３Ｃは楽曲データに関連する一部楽曲データ及びカラオケデータを携帯電話機２へ送信する。統合サーバ１は、楽曲データ、一部楽曲データ及びカラオケデータに対するリンク先を携帯電話機２へ送信する。受信手段は、Ｗｅｂサーバ３Ａから楽曲データの送信完了情報、Ｗｅｂサーバ３Ｂ、３Ｃから一部楽曲データ及びカラオケデータの送信完了情報、並びに、ＵＩＤを受信する。ＵＩＤに関し全ての完了情報を受信したかを判断する。ＵＩＤを受信し、かつ、全ての完了情報を受信したと判断した場合、リンク先とは異なる特別リンク先を記憶部から読み出す。【選択図】図１
2008275702.tif 000002
【特許請求の範囲】
【請求項１】
一のウェブサイトから送信される音楽情報及び他のウェブサイトから送信される前記音楽情報に関連する関連音楽情報の送信を送信支援装置により支援する送信支援方法であって、
音楽情報に対する前記一のウェブサイトのリンク先及び関連音楽情報に対する前記他のウェブサイトのリンク先を記憶部に記憶するステップと、
前記記憶部に記憶した音楽情報及び関連音楽情報に対するリンク先を外部へ送信する送信ステップと、
前記一のウェブサイトから前記音楽情報の送信を完了した旨の完了情報、前記他のウェブサイトから前記関連音楽情報の送信を完了した旨の完了情報及び送信先の宛先となる識別情報を受信する受信ステップと、
前記識別情報に関し前記音楽情報及び関連音楽情報全ての完了情報を受信したかを制御部により判断する判断ステップと、
前記識別情報を受信し、かつ、前記判断ステップにより全ての完了情報を受信したと判断した場合、前記リンク先とは異なる特別リンク先を前記制御部により前記記憶部から読み出す読み出しステップと
を備えることを特徴とする送信支援方法。
【請求項２】
一のウェブサイトから携帯端末機へ送信される音楽情報及び他のウェブサイトから携帯端末機へ送信される前記音楽情報に関連する関連音楽情報の送信を前記携帯端末機に通信網を介して接続される送信支援装置により支援する送信支援システムであって、
前記送信支援装置は、
音楽情報に対する前記一のウェブサイトのリンク先及び関連音楽情報に対する前記他のウェブサイトのリンク先を記憶部に記憶する手段と、
前記記憶部に記憶した音楽情報及び関連音楽情報に対するリンク先を携帯端末機へ送信する送信手段と、
前記一のウェブサイトから前記音楽情報の送信を完了した旨の完了情報、前記他のウェブサイトから前記関連音楽情報の送信を完了した旨の完了情報及び送信先の宛先となる識別情報を受信する受信手段と、
前記識別情報に関し前記音楽情報及び関連音楽情報全ての完了情報を受信したかを判断する判断手段と、
前記識別情報を受信し、かつ、前記判断手段により全ての完了情報を受信したと判断した場合、前記リンク先とは異なる特別リンク先を前記記憶部から読み出す読み出し手段と、
該読み出し手段により読み出した特別リンク先を前記識別情報に係る携帯端末機へ送信する手段と
を備えることを特徴とする送信支援システム。
【請求項３】
一のウェブサイトから送信される音楽情報及び他のウェブサイトから送信される前記音楽情報に関連する関連音楽情報の送信を支援する送信支援装置であって、
音楽情報に対する前記一のウェブサイトのリンク先及び関連音楽情報に対する前記他のウェブサイトのリンク先を記憶部に記憶する手段と、
前記記憶部に記憶した音楽情報及び関連音楽情報に対するリンク先を外部へ送信する送信手段と、
前記一のウェブサイトから前記音楽情報の送信を完了した旨の完了情報、前記他のウェブサイトから前記関連音楽情報の送信を完了した旨の完了情報及び送信先の宛先となる識別情報を受信する受信手段と、
前記識別情報に関し前記音楽情報及び関連音楽情報全ての完了情報を受信したかを判断する判断手段と、
前記識別情報を受信し、かつ、前記判断手段により全ての完了情報を受信したと判断した場合、前記リンク先とは異なる特別リンク先を前記記憶部から読み出す読み出し手段と
を備えることを特徴とする送信支援装置。
【請求項４】
前記一のウェブサイト及び他のウェブサイトから識別情報に対応づけて音楽情報及び関連音楽情報の送信利用状況に基づく数値を受信する手段と、
前記識別情報を受信し、該識別情報に対応する数値が所定値以上であり、かつ、前記判断手段により全ての完了情報を受信したと判断した場合、前記リンク先及び特別リンク先とは異なる補助リンク先を前記記憶部から読み出す手段と
を備えることを特徴とする請求項３に記載の送信支援装置。
【請求項５】
複数の識別情報をグループ化して前記記憶部に記憶する手段を備え、
前記判断手段は、
前記記憶部に記憶したグループ内の複数の識別情報に関し前記音楽情報及び関連音楽情報全ての完了情報を受信したかを判断するよう構成してあり、
前記読み出し手段は、
前記記憶部に記憶したグループ内の識別情報のいずれかを受信し、かつ、前記判断手段により全ての完了情報を受信したと判断した場合、前記リンク先とは異なる特別リンク先を前記記憶部から読み出すよう構成してある
ことを特徴とする請求項３に記載の送信支援装置。
【請求項６】
前記受信手段により完了情報及び識別情報を受信した場合に、前記記憶部に記憶したグループ内の前記識別情報とは異なる識別情報に係る携帯端末機に送信が完了した音楽情報または関連音楽情報についての情報を送信する手段
を備えることを特徴とする請求項５に記載の送信支援装置。
【請求項７】
前記受信手段により完了情報及び識別情報を受信した場合に、前記識別情報に係る携帯端末機に送信が完了した音楽情報または関連音楽情報についての情報を送信する手段
を備えることを特徴とする請求項３乃至５のいずれか一つに記載の送信支援装置。
【請求項８】
一のウェブサイトから送信される音楽情報及び他のウェブサイトから送信される前記音楽情報に関連する関連音楽情報の送信をコンピュータに支援させるためのプログラムであって、
コンピュータに、
音楽情報に対する前記一のウェブサイトのリンク先及び関連音楽情報に対する前記他のウェブサイトのリンク先を記憶した記憶部から読み出した音楽情報及び関連音楽情報に対するリンク先を外部へ送信する送信ステップと、
前記一のウェブサイトから前記音楽情報の送信を完了した旨の完了情報、前記他のウェブサイトから前記関連音楽情報の送信を完了した旨の完了情報及び送信先の宛先となる識別情報を受信する受信ステップと、
前記識別情報に関し前記音楽情報及び関連音楽情報全ての完了情報を受信したかを制御部により判断する判断ステップと、
前記識別情報を受信し、かつ、前記判断ステップにより全ての完了情報を受信したと判断した場合、前記リンク先とは異なる特別リンク先を前記制御部により前記記憶部から読み出す読み出しステップと
を実行させるためのプログラム。
【発明の詳細な説明】
【技術分野】
【０００１】
本発明は、一のウェブサイトから送信される音楽情報及び他のウェブサイトから送信される音楽情報に関連する関連音楽情報の送信を送信支援装置により支援する送信支援方法、送信支援システム、送信支援装置及びコンピュータを送信支援装置として機能させるためのプログラムに関する。
【背景技術】
【０００２】
近年、携帯端末機に音楽情報を配信するサービスが普及している。ユーザは所定の対価を支払うことにより、一曲分の楽曲をダウンロードでき、これを携帯端末機にて再生することにより音楽を楽しむことができる。このような楽曲の配信サービスの提供を受ける場合、ユーザはＵＲＬ（Uniform Resource Locator）を入力し、所定のウェブサイトへアクセスすることで配信サービスの利用が可能となる（例えば特許文献１参照）。
【０００３】
配信サービスにより提供される楽曲は着うたフル（登録商標）と呼ばれ、様々なウェブサイトから楽曲が配信されている。また楽曲を配信するだけではなく、所謂着うた（登録商標）と呼ばれる当該楽曲のサビである一部の楽曲を配信するウェブサイトも存在する。その他、楽曲の歌詞を配信するウェブサイト、並びに、楽曲の無声音楽データ及び無声音楽データにあわせて表示される歌詞データ、すなわちカラオケデータを配信するウェブサイトも存在する。
【特許文献１】特開２００５−２３３９８６号公報
【発明の開示】
【発明が解決しようとする課題】
【０００４】
このように一つの音楽情報に派生して様々な関連する音楽情報が提供されているにもかかわらず、各ウェブサイトがそれぞれ別個に音楽情報及び関連する音楽情報を提供しているため、ユーザに対し効率よく、またより魅力的な音楽情報の配信がなされていなかった。なお、特許文献１に記載の技術は何らかかる課題を解決するものではない。
【０００５】
本発明は斯かる事情に鑑みてなされたものであり、その目的は、音楽情報を送信する一のウェブサイト及び関連音楽情報を送信する他のウェブサイト相互間の縦断を容易にし、また各ウェブサイトでの送信を促進する特別リンク先を提供することにより、音楽情報または関連音楽情報の提供を受けるユーザが各ウェブサイトで容易に情報の提供を受けることが可能であり、またユーザのサービス利用を促進することが可能な送信支援方法、送信支援システム、送信支援装置及びコンピュータを送信支援装置として機能させるためのプログラムを提供することにある。
【０００６】
本発明の他の目的は、複数の識別情報をグループ化し、音楽情報及び関連音楽情報の送信履歴を共有することにより、サービスの提供をユーザ間で楽しみつつ、サービスを利用する際のインセンティブを向上させることが可能な送信支援装置を提供することにある。
【課題を解決するための手段】
【０００７】
本発明に係る送信支援方法は、一のウェブサイトから送信される音楽情報及び他のウェブサイトから送信される前記音楽情報に関連する関連音楽情報の送信を送信支援装置により支援する送信支援方法であって、音楽情報に対する前記一のウェブサイトのリンク先及び関連音楽情報に対する前記他のウェブサイトのリンク先を記憶部に記憶するステップと、前記記憶部に記憶した音楽情報及び関連音楽情報に対するリンク先を外部へ送信する送信ステップと、前記一のウェブサイトから前記音楽情報の送信を完了した旨の完了情報、前記他のウェブサイトから前記関連音楽情報の送信を完了した旨の完了情報及び送信先の宛先となる識別情報を受信する受信ステップと、前記識別情報に関し前記音楽情報及び関連音楽情報全ての完了情報を受信したかを制御部により判断する判断ステップと、前記識別情報を受信し、かつ、前記判断ステップにより全ての完了情報を受信したと判断した場合、前記リンク先とは異なる特別リンク先を前記制御部により前記記憶部から読み出す読み出しステップとを備えることを特徴とする。
【０００８】
本発明に係る送信支援システムは、一のウェブサイトから携帯端末機へ送信される音楽情報及び他のウェブサイトから携帯端末機へ送信される前記音楽情報に関連する関連音楽情報の送信を前記携帯端末機に通信網を介して接続される送信支援装置により支援する送信支援システムであって、前記送信支援装置は、音楽情報に対する前記一のウェブサイトのリンク先及び関連音楽情報に対する前記他のウェブサイトのリンク先を記憶部に記憶する手段と、前記記憶部に記憶した音楽情報及び関連音楽情報に対するリンク先を携帯端末機へ送信する送信手段と、前記一のウェブサイトから前記音楽情報の送信を完了した旨の完了情報、前記他のウェブサイトから前記関連音楽情報の送信を完了した旨の完了情報及び送信先の宛先となる識別情報を受信する受信手段と、前記識別情報に関し前記音楽情報及び関連音楽情報全ての完了情報を受信したかを判断する判断手段と、前記識別情報を受信し、かつ、前記判断手段により全ての完了情報を受信したと判断した場合、前記リンク先とは異なる特別リンク先を前記記憶部から読み出す読み出し手段と、該読み出し手段により読み出した特別リンク先を前記識別情報に係る携帯端末機へ送信する手段とを備えることを特徴とする。
【０００９】
本発明に係る送信支援装置は、一のウェブサイトから送信される音楽情報及び他のウェブサイトから送信される前記音楽情報に関連する関連音楽情報の送信を支援する送信支援装置であって、音楽情報に対する前記一のウェブサイトのリンク先及び関連音楽情報に対する前記他のウェブサイトのリンク先を記憶部に記憶する手段と、前記記憶部に記憶した音楽情報及び関連音楽情報に対するリンク先を外部へ送信する送信手段と、前記一のウェブサイトから前記音楽情報の送信を完了した旨の完了情報、前記他のウェブサイトから前記関連音楽情報の送信を完了した旨の完了情報及び送信先の宛先となる識別情報を受信する受信手段と、前記識別情報に関し前記音楽情報及び関連音楽情報全ての完了情報を受信したかを判断する判断手段と、前記識別情報を受信し、かつ、前記判断手段により全ての完了情報を受信したと判断した場合、前記リンク先とは異なる特別リンク先を前記記憶部から読み出す読み出し手段とを備えることを特徴とする。
【００１０】
本発明に係る送信支援装置は、前記一のウェブサイト及び他のウェブサイトから識別情報に対応づけて音楽情報及び関連音楽情報の送信利用状況に基づく数値を受信する手段と、前記識別情報を受信し、該識別情報に対応する数値が所定値以上であり、かつ、前記判断手段により全ての完了情報を受信したと判断した場合、前記リンク先及び特別リンク先とは異なる補助リンク先を前記記憶部から読み出す手段とを備えることを特徴とする。
【００１１】
本発明に係る送信支援装置は、複数の識別情報をグループ化して前記記憶部に記憶する手段を備え、前記判断手段は、前記記憶部に記憶したグループ内の複数の識別情報に関し前記音楽情報及び関連音楽情報全ての完了情報を受信したかを判断するよう構成してあり、前記読み出し手段は、前記記憶部に記憶したグループ内の識別情報のいずれかを受信し、かつ、前記判断手段により全ての完了情報を受信したと判断した場合、前記リンク先とは異なる特別リンク先を前記記憶部から読み出すよう構成してあることを特徴とする。
【００１２】
本発明に係る送信支援装置は、前記受信手段により完了情報及び識別情報を受信した場合に、前記記憶部に記憶したグループ内の前記識別情報とは異なる識別情報に係る携帯端末機に送信が完了した音楽情報または関連音楽情報についての情報を送信する手段を備えることを特徴とする。
【００１３】
本発明に係る送信支援装置は、前記受信手段により完了情報及び識別情報を受信した場合に、前記識別情報に係る携帯端末機に送信が完了した音楽情報または関連音楽情報についての情報を送信する手段を備えることを特徴とする。
【００１４】
本発明に係るプログラムは、一のウェブサイトから送信される音楽情報及び他のウェブサイトから送信される前記音楽情報に関連する関連音楽情報の送信をコンピュータに支援させるためのプログラムであって、コンピュータに、音楽情報に対する前記一のウェブサイトのリンク先及び関連音楽情報に対する前記他のウェブサイトのリンク先を記憶した記憶部から読み出した音楽情報及び関連音楽情報に対するリンク先を外部へ送信する送信ステップと、前記一のウェブサイトから前記音楽情報の送信を完了した旨の完了情報、前記他のウェブサイトから前記関連音楽情報の送信を完了した旨の完了情報及び送信先の宛先となる識別情報を受信する受信ステップと、前記識別情報に関し前記音楽情報及び関連音楽情報全ての完了情報を受信したかを制御部により判断する判断ステップと、前記識別情報を受信し、かつ、前記判断ステップにより全ての完了情報を受信したと判断した場合、前記リンク先とは異なる特別リンク先を前記制御部により前記記憶部から読み出す読み出しステップとを実行させることを特徴とする。
【００１５】
本発明にあっては、一のウェブサイトは音楽情報を携帯端末機へ送信する。また一のウェブサイトとは異なる他のウェブサイトは音楽情報に関連する関連音楽情報を携帯端末機へ送信する。送信支援装置は、音楽情報に対する一のウェブサイトのリンク先及び関連音楽情報に対する他のウェブサイトのリンク先を記憶部に記憶する。送信手段は、記憶部に記憶した音楽情報及び関連音楽情報に対するリンク先を携帯端末機へ送信する。受信手段は、一のウェブサイトから前記音楽情報の送信を完了した旨の完了情報、他のウェブサイトから前記関連音楽情報の送信を完了した旨の完了情報及び送信先の宛先となる識別情報を受信する。判断手段は、識別情報に関し音楽情報及び関連音楽情報全ての完了情報を受信したかを判断する。そして、識別情報を受信し、かつ、判断手段により全ての完了情報を受信したと判断した場合、リンク先とは異なる特別リンク先を記憶部から読み出す。
【００１６】
本発明にあっては、一のウェブサイト及び他のウェブサイトから識別情報に対応づけて音楽情報及び関連音楽情報の送信利用状況に基づく数値を受信する。そして、識別情報を受信し、該識別情報に対応する数値が所定値以上であり、かつ、判断手段により全ての完了情報を受信したと判断した場合、リンク先及び特別リンク先とは異なる補助リンク先を前記記憶部から読み出す。
【００１７】
本発明にあっては、複数の識別情報をグループ化して記憶部に記憶しておく。判断手段は、記憶部に記憶したグループ内の複数の識別情報に関し音楽情報及び関連音楽情報全ての完了情報を受信したかを判断する。そして記憶部に記憶したグループ内の識別情報のいずれかを受信し、かつ、判断手段により全ての完了情報を受信したと判断した場合、リンク先とは異なる特別リンク先が記憶部から読み出される。
【００１８】
本発明にあっては、受信手段により完了情報及び識別情報を受信した場合、記憶部に記憶したグループ内の識別情報とは異なる識別情報に係る携帯端末機に送信が完了した音楽情報または関連音楽情報についての情報が送信される。
【００１９】
本発明にあっては、受信手段により完了情報及び識別情報を受信した場合、識別情報に係る携帯端末機に送信が完了した音楽情報または関連音楽情報についての情報が送信される。
【発明の効果】
【００２０】
本発明にあっては、判断手段は、識別情報に関し音楽情報及び関連音楽情報全ての完了情報を受信したかを判断する。そして、識別情報を受信し、かつ、判断手段により全ての完了情報を受信したと判断した場合、リンク先とは異なる特別リンク先を記憶部から読み出す。これにより、異なるウェブサイトにて音楽情報または関連音楽情報の送信サービスを容易に提供することができる。また各ウェブサイトへのアクセスを促進することが可能となる。
【００２１】
本発明にあっては、送信利用状況に基づく数値が所定値以上であり、かつ、判断手段により全ての完了情報を受信したと判断した場合、リンク先及び特別リンク先とは異なる補助リンク先を前記記憶部から読み出す。これにより、利用状況の多いユーザにはさらなるメリットが生じよりサービスの促進を図ることが可能となる。
【００２２】
本発明にあっては、記憶部に記憶したグループ内の識別情報のいずれかを受信し、かつ、判断手段により全ての完了情報を受信したと判断した場合、リンク先とは異なる特別リンク先が記憶部から読み出される。これにより、複数のユーザがサービスに参加することになり、より各ウェブサイトの活性化を図ることが可能となる。
【００２３】
本発明にあっては、受信手段により完了情報及び識別情報を受信した場合、記憶部に記憶したグループ内の識別情報とは異なる識別情報に係る携帯端末機に送信が完了した音楽情報または関連音楽情報についての情報が送信される。これにより、複数のユーザ間で送信済みの情報がシェアできることから、より利便性を高めることが可能となる。
【００２４】
本発明にあっては、受信手段により完了情報及び識別情報を受信した場合、識別情報に係る携帯端末機に送信が完了した音楽情報または関連音楽情報についての情報が送信される。これにより、すでにサービス提供を受けたウェブサイトの情報が容易に認識できる等、本発明は優れた効果を奏する。
【発明を実施するための最良の形態】
【００２５】
実施の形態１
図１は送信支援システムの概要を示す模式図である。送信支援システムは送信支援装置１、通信網Ｎ、Ｗｅｂサーバ３Ａ、３Ｂ、３Ｃ（以下、場合により３で代表する）及び携帯端末機２、２、２、・・・を含んで構成される。送信支援装置１、Ｗｅｂサーバ３Ａ、３Ｂ、３Ｃ及び携帯端末機２、２、２、・・・はインターネット及び携帯電話網等の通信網Ｎを介して相互に接続されており、ＨＴＴＰ（Hyper Text Transfer Protocol）等によりＨＴＭＬ（Hyper Text Markup Language）ファイル等を含む各種情報を送受信する。
【００２６】
送信支援装置１は、例えばサーバコンピュータが用いられる。以下では送信支援装置１を統合サーバ１と読み替えて説明する。携帯端末機２は例えば、携帯電話機、ＰＤＡ(Personal Digital Assistance)、表示部を備える可搬型オーディオプレーヤまたは可搬型ゲーム機等であり、一般のカラオケ店舗に設置されるモニタより小型の表示画面を備える可搬型の携帯端末機である。本実施の形態においては、携帯端末機２を携帯電話機２であるものとして説明する。
【００２７】
Ｗｅｂサーバ３は携帯電話機２を使用するユーザのリクエストに応じて音楽情報及び当該音楽情報に関連する関連音楽情報を携帯電話機２へ送信（以下、配信と適宜読み替えて用いる）する。本実施の形態においては音楽情報をあるアーティストの音声及び演奏を組み合わせた楽曲データであるものとして説明する。また楽曲データに関連する関連音楽情報を、当該楽曲のサビの部分を抽出した一部楽曲データ、当該楽曲データの歌詞データ及び当該楽曲データのカラオケデータであるものとして説明する。なお、これらのデータ以外にアーティストの画像データ等をも併せて送信するようにしても良い。
【００２８】
Ｗｅｂサーバ３Ａは、楽曲データを配信する楽曲配信サイト及び歌詞データを配信する歌詞配信サイトとして機能する。またＷｅｂサーバ３Ｂは、一部楽曲データを配信する一部楽曲配信サイトとして機能し、Ｗｅｂサーバ３Ｃはカラオケデータを配信するカラオケ配信サイトとして機能する。なお、本実施の形態においては、説明を容易にするために、一部楽曲配信サイト及びカラオケ配信サイトの機能をＷｅｂサーバ３Ａとは別の、Ｗｅｂサーバ３Ｂ及びＷｅｂサーバ３Ｃのそれぞれに構築したが、Ｗｅｂサーバ３Ａ単体で構成しても良い。同様に、説明を容易にするために統合サーバ１とＷｅｂサーバ３とを別体で構成し、統合サーバ１及びＷｅｂサーバ３の処理をそれぞれ振り分ける構成としたが、これらを一体として構成しても良い。
【００２９】
楽曲データの配信を希望するユーザは携帯電話機２を用いてＷｅｂサーバ３Ａへアクセスする。また一部楽曲データの配信を希望するユーザは携帯電話機２を用いてＷｅｂサーバ３Ｂへアクセスし、カラオケデータの配信を希望するユーザは携帯電話機２を用いてＷｅｂサーバ３Ｃへアクセスする。Ｗｅｂサーバ３Ａは他のＷｅｂサーバ３Ｂ、３Ｃでの配信を促すために、ユーザを統合サーバ１へ誘導する。同様にＷｅｂサーバ３Ｂ及びＷｅｂサーバ３Ｃも、配信を促すために、ユーザを統合サーバ１へ誘導する。
【００３０】
統合サーバ１へアクセスした携帯電話機２には、他のＷｅｂサーバ３へのリンクが設定されており、このリンクにより携帯電話機２は他のＷｅｂサーバ３へ誘導される。これらが繰り返され、携帯電話機２へ楽曲データ、一部楽曲データ及びカラオケデータの全てが配信された場合、インセンティブとなるコンテンツを付与するための特別リンクが統合サーバ１から携帯電話機２へ送信される。携帯電話機２はこの特別リンクをたどることでコンテンツを入手することができる。
【００３１】
図２は携帯電話機２のハードウェア構成を示すブロック図である。携帯電話機２は、制御部としてのＣＰＵ(Central Processing Unit)２１、ＲＡＭ(Random Access Memory)２２、入力部２３、表示部２４、通信部２６、マイク２８、スピーカ２９、時計部２１０、ＵＩＤ記憶部２１１及び記憶部２５を含んで構成される。ＣＰＵ２１は、バス２７を介して携帯電話機２のハードウェア各部と接続されていて、それらを制御すると共に、記憶部２５に格納された制御プログラム２５Ｐに従って、種々のソフトウェア的機能を実行する。
【００３２】
表示部２４は例えば液晶ディスプレイ等であり、入力部２３はプッシュボタン等により構成される。なお、タッチパネルのように表示部２４と入力部２３とを一体的に構成するようにしても良い。スピーカ２９は音声データ、通話データ、またはマイク２８から入力された音声に係る音声信号を増幅して出力する。マイク２８は外部から入力された音声信号を電気信号へ変換する。変換後の電気信号は図示しないＡ／Ｄ変換器によりデジタルデータへ変換されてＣＰＵ２１へ出力される。通信部２６は高周波送受信部及びアンテナ等を備え、音声データ、文字データ等を含む各種データの送受信を行う。
【００３３】
時計部２１０は日時情報をＣＰＵ２１へ出力する。ＵＩＤ記憶部２１１は携帯電話機２のユーザ固有に付与される識別情報（以下、ＵＩＤ）を記憶している。このＵＩＤは例えばＦＯＭＡ（登録商標）カード等のＩＣカードに記憶された１５桁の識別番号を用いれば良い。なお、携帯電話機２のＭＡＣ（Media Access Control）アドレスまたは電話番号等を用いても良い。そのほか各ユーザに会員番号を付与し、この会員番号によりユーザを特定するようにしても良い。
【００３４】
記憶部２５には制御プログラム２５Ｐ、ブラウザ２５１、及び再生アプリケーション２５２が記憶されている。ブラウザ２５１はＨＴＴＰプロトコルにより通信部２６を介して送受信されるＨＴＭＬファイルを解析して表示部２４に表示する。再生アプリケーション２５２はブラウザ２５１のプラグインソフトウェアであり、楽曲データの再生、カラオケデータの表示・再生処理等を行う。
【００３５】
配信された楽曲データの再生指示を、入力部２３から受け付けた場合、ＣＰＵ２１は再生アプリケーション２５２を起動し、楽曲データをスピーカ２９から出力する。楽曲データに背景画像データまたは動画データが付随している場合は、ＣＰＵ２１は再生アプリケーション２５２の指示に従い、背景画像データまたは動画データを表示部２４に表示する。なお、一部楽曲データの場合も再生アプリケーション２５２は同様の処理を行う。配信されたカラオケデータの再生指示を、入力部２３から受け付けた場合、ＣＰＵ２１は再生アプリケーション２５２を起動する。カラオケデータには無声の音楽データ、歌詞データ、音楽データと歌詞データとの同期をとるための同期データ及び歌詞データを変色するためのタイミングデータ等が含まれている。ＣＰＵ２１は再生アプリケーション２５２の指示に従い、無声の音楽データをスピーカ２９へ出力し、同期データに従い歌詞データを音楽データに合わせて表示部２４に表示する。またＣＰＵ２１はタイミングデータに従い歌詞データを白色から黄色等へ変色する。
【００３６】
図３はＷｅｂサーバ３Ａのハードウェア構成を示すブロック図である。Ｗｅｂサーバ３Ａは、制御部としてのＣＰＵ３Ａ１、ＲＡＭ３Ａ２、入力部３Ａ３、表示部３Ａ４、通信部３Ａ６、時計部３Ａ８及び記憶部３Ａ５を含んで構成される。ＣＰＵ３Ａ１は、バス３Ａ７を介してＷｅｂサーバ３Ａのハードウェア各部と接続されていて、それらを制御すると共に、記憶部３Ａ５に格納された制御プログラム３Ａ５Ｐに従って、種々のソフトウェア的機能を実行する。
【００３７】
通信部３Ａ６はファイアウォールとしての機能を果たすゲートウェイ等であり、統合サーバ１及び携帯電話機２との間で必要な情報を送受信する。また通信部３Ａ６は歌詞ＤＢ３ＡＷ及び楽曲ＤＢ３ＡＭに接続されている。ＣＰＵ３Ａ１は歌詞ＤＢ３ＡＷ及び楽曲ＤＢ３ＡＭのフィールドのキーを関連付けたスキーマにおいてＳＱＬ(Structured Query Language)等を用いて対話することにより、必要な情報の記憶、検索等の処理を実行する。なお、本実施の形態においては歌詞ＤＢ３ＡＷ及び楽曲ＤＢ３ＡＭを図示しないデータベースサーバ内のＤＢに記憶する形態としたが、記憶部３Ａ５内に記憶しても良いことはもちろんである。入力部３Ａ３はキーボード及びマウス等であり、表示部３Ａ４は例えば液晶ディスプレイであり、時計部３Ａ８は日時情報をＣＰＵ３Ａ１へ出力する。
【００３８】
楽曲ＤＢ３ＡＭは楽曲ＩＤフィールド及び楽曲データフィールドを含んで構成される。楽曲ＩＤフィールドには楽曲を特定するための固有の識別情報（楽曲ＩＤ）が記憶されている。楽曲データフィールドには楽曲ＩＤに対応づけて楽曲データが、ｍｍｆまたはｍｌｄ等のデータ形式で記憶されている。図３の例では、楽曲ＩＤが「Ｍ００１」、「Ｍ００２」及び「Ｍ００３」等の楽曲データが記憶されている。歌詞ＤＢ３ＡＷは歌詞ＩＤフィールド及び歌詞データフィールドを含んで構成される。歌詞ＩＤフィールドには歌詞データを特定するための識別情報（歌詞ＩＤ）が記憶されている。
【００３９】
歌詞データフィールドには楽曲の歌詞データがテキスト形式等で歌詞ＩＤに対応づけて記憶されている。図３の例では、楽曲ＩＤ「Ｍ００１」に対応する歌詞ＩＤ「Ｗ００１」の歌詞データ、及び、楽曲ＩＤ「Ｍ００２」に対応する歌詞ＩＤ「Ｗ００２」の歌詞データ等が記憶されている。なお、以下では説明を容易にするために、Ｗｅｂサーバ３Ａは楽曲配信サイトとしてのみ機能するものとして説明し、歌詞配信サイトとして機能する場合に利用される歌詞ＤＢ３ＡＷの内容は省略する。
【００４０】
記憶部３Ａ５は例えばハードディスクで構成され、内部には上述した制御プログラム３Ａ５Ｐの他、履歴ファイル３Ａ５１及びポイントファイル３Ａ５２が記憶されている。履歴ファイル３Ａ５１は配信した楽曲データの履歴を記憶している。図４は履歴ファイル３Ａ５１のレコードレイアウトを示す説明図である。ＣＰＵ３Ａ１は携帯電話機２から楽曲データの配信要求を受け付けた場合、楽曲ＤＢ３ＡＭから楽曲データを読み出し、携帯電話機２へ楽曲データを配信する。ＣＰＵ３Ａ１は携帯電話機２から送信されたＵＩＤ、配信対象となった楽曲データの楽曲ＩＤ及び送信日時を履歴ファイル３Ａ５１に記憶する。
【００４１】
図４に示す履歴ファイル３Ａ５１はＵＩＤフィールド、楽曲ＩＤフィールド及び送信日時フィールドを含んで構成される。ＵＩＤフィールドには、楽曲データの配信要求を行った携帯電話機２から送信されたＵＩＤが記憶されている。楽曲ＩＤフィールドには配信要求のあった楽曲データの楽曲ＩＤがＵＩＤに対応づけて記憶されている。さらに送信日時フィールドにはＵＩＤ及び楽曲ＩＤに対応づけて、楽曲データを送信した日時を、時計部３Ａ８からの出力に基づき記憶している。例えば、２００７年３月２２日１２時２３分１０秒に、ＵＩＤ「００１」のユーザは楽曲ＩＤ「Ｍ００１」の楽曲データの配信を受けている。
【００４２】
ポイントファイル３Ａ５２は各ユーザの配信利用状況に基づく数値を記憶している。この数値は楽曲データのダウンロードを行う度に上昇する値である。この数値は例えば利用料金または利用料金と等価なポイント等を採用すればよい。以下では、一ダウンロード毎に数値が増加するポイントを例に説明する。図３に示すようにポイントファイル３Ａ５２はＵＩＤフィールド及びポイントフィールドを含んで構成される。ＵＩＤに対応づけて、蓄積されたポイントが記憶されている。ＣＰＵ３Ａ１は携帯電話機２へ楽曲データを配信した場合、ＵＩＤに対応づけてポイントフィールドに記憶されたポイントをインクリメントする。例えば、ＵＩＤ「００１」のユーザはポイントが５１と記憶されている。
【００４３】
図５は一部楽曲配信サイトとして機能するＷｅｂサーバ３Ｂのハードウェア構成を示すブロック図である。Ｗｅｂサーバ３Ｂの構成はＷｅｂサーバ３Ａの構成と実質的に同一であるので、符号の説明及び相違点のみを説明する。Ｗｅｂサーバ３Ｂは、制御部としてのＣＰＵ３Ｂ１、ＲＡＭ３Ｂ２、入力部３Ｂ３、表示部３Ｂ４、通信部３Ｂ６、時計部３Ｂ８及び記憶部３Ｂ５を含んで構成される。ＣＰＵ３Ｂ１は、バス３Ｂ７を介してＷｅｂサーバ３Ｂのハードウェア各部と接続されていて、それらを制御すると共に、記憶部３Ｂ５に格納された制御プログラム３Ｂ５Ｐに従って、種々のソフトウェア的機能を実行する。
【００４４】
通信部３Ｂ６には一部楽曲ＤＢ３ＢＰが接続されている。一部楽曲ＤＢ３ＢＰは一部楽曲ＩＤフィールド及び一部楽曲データフィールドを含んで構成される。一部楽曲ＩＤフィールドには楽曲データの一部を抽出した一部楽曲データを特定するための識別情報（一部楽曲ＩＤ）が記憶されている。一部楽曲データフィールドには一部楽曲ＩＤに対応づけて、一部楽曲データがｍｍｆまたはｍｌｄ等のデータ形式で記憶されている。例えば、楽曲ＩＤ「Ｍ００１」の楽曲データに対応する一部楽曲データの一部楽曲ＩＤ「Ｐ００１」及びその一部楽曲データが記憶されている。
【００４５】
図６は履歴ファイル３Ｂ５１のレコードレイアウトを示す説明図である。ＣＰＵ３Ｂ１は携帯電話機２から一部楽曲データの配信要求を受け付けた場合、一部楽曲ＤＢ３ＢＰから一部楽曲データを読み出し、携帯電話機２へ一部楽曲データを配信する。ＣＰＵ３Ｂ１は携帯電話機２から送信されたＵＩＤ、配信対象となった一部楽曲データの一部楽曲ＩＤ及び送信日時を履歴ファイル３Ｂ５１に記憶する。
【００４６】
図６に示す履歴ファイル３Ｂ５１はＵＩＤフィールド、一部楽曲ＩＤフィールド及び送信日時フィールドを含んで構成される。ＵＩＤフィールドには、一部楽曲データの配信要求を行った携帯電話機２から送信されたＵＩＤが記憶されている。一部楽曲ＩＤフィールドには配信要求のあった一部楽曲データの一部楽曲ＩＤがＵＩＤに対応づけて記憶されている。さらに送信日時フィールドにはＵＩＤ及び一部楽曲ＩＤに対応づけて、一部楽曲データを送信した日時を、時計部３Ｂ８からの出力に基づき記憶している。例えば、２００７年３月２１日１８時５分１０秒に、ＵＩＤ「００１」のユーザは一部楽曲ＩＤ「Ｐ００１」の一部楽曲データの配信を受けている。
【００４７】
ポイントファイル３Ｂ５２は各ユーザのポイントを記憶している。図５に示すようにポイントファイル３Ｂ５２はＵＩＤフィールド及びポイントフィールドを含んで構成される。ＵＩＤに対応づけて、蓄積されたポイントが記憶されている。ＣＰＵ３Ｂ１は携帯電話機２へ一部楽曲データを配信した場合、ＵＩＤに対応づけてポイントフィールドに記憶されたポイントをインクリメントする。例えば、ＵＩＤ「００１」のユーザはポイントが５と記憶されている。
【００４８】
図７はカラオケ配信サイトとして機能するＷｅｂサーバ３Ｃのハードウェア構成を示すブロック図である。Ｗｅｂサーバ３Ｃの構成はＷｅｂサーバ３ＡまたはＷｅｂサーバ３Ｂの構成と実質的に同一であるので、符号の説明及び相違点のみを説明する。Ｗｅｂサーバ３Ｃは、制御部としてのＣＰＵ３Ｃ１、ＲＡＭ３Ｃ２、入力部３Ｃ３、表示部３Ｃ４、通信部３Ｃ６、時計部３Ｃ８及び記憶部３Ｃ５を含んで構成される。ＣＰＵ３Ｃ１は、バス３Ｃ７を介してＷｅｂサーバ３Ｃのハードウェア各部と接続されていて、それらを制御すると共に、記憶部３Ｃ５に格納された制御プログラム３Ｃ５Ｐに従って、種々のソフトウェア的機能を実行する。
【００４９】
通信部３Ｃ６にはカラオケＤＢ３ＣＫが接続されている。カラオケＤＢ３ＣＫはカラオケＩＤ及びカラオケデータフィールドを含んで構成される。カラオケＩＤフィールドにはカラオケデータを特定するための識別情報（カラオケＩＤ）が記憶されている。カラオケデータフィールドにはカラオケＩＤに対応づけて、上述した無声の音楽データ、歌詞データ、音楽データと歌詞データとの同期をとるための同期データ及び歌詞データを変色するためのタイミングデータ等のカラオケデータが記憶されている。例えば、楽曲ＩＤ「Ｍ００１」の楽曲データに対応するカラオケＩＤ「Ｋ００１」及びそのカラオケデータが記憶されている。
【００５０】
図８は履歴ファイル３Ｃ５１のレコードレイアウトを示す説明図である。ＣＰＵ３Ｃ１は携帯電話機２からカラオケデータの配信要求を受け付けた場合、カラオケＤＢ３ＣＫからカラオケデータを読み出し、携帯電話機２へカラオケデータを配信する。ＣＰＵ３Ｃ１は携帯電話機２から送信されたＵＩＤ、配信対象となったカラオケデータのカラオケＩＤ及び送信日時を履歴ファイル３Ｃ５１に記憶する。
【００５１】
図８に示す履歴ファイル３Ｃ５１はＵＩＤフィールド、カラオケＩＤフィールド及び送信日時フィールドを含んで構成される。ＵＩＤフィールドには、カラオケデータの配信要求を行った携帯電話機２から送信されたＵＩＤが記憶されている。カラオケＩＤフィールドには配信要求のあったカラオケデータのカラオケＩＤがＵＩＤに対応づけて記憶されている。さらに送信日時フィールドにはＵＩＤ及びカラオケＩＤに対応づけて、カラオケデータを送信した日時を、時計部３Ｃ８からの出力に基づき記憶している。例えば、２００７年３月２２日１２時５分１０秒に、ＵＩＤ「００１」のユーザはカラオケＩＤ「Ｋ００１」のカラオケデータの配信を受けている。
【００５２】
ポイントファイル３Ｃ５２は各ユーザのポイントを記憶している。図７に示すようにポイントファイル３Ｃ５２はＵＩＤフィールド及びポイントフィールドを含んで構成される。ＵＩＤに対応づけて、蓄積されたポイントが記憶されている。ＣＰＵ３Ｃ１は携帯電話機２へカラオケデータを配信した場合、ＵＩＤに対応づけてポイントフィールドに記憶されたポイントをインクリメントする。例えば、ＵＩＤ「００１」のユーザはポイントが１５と記憶されている。
【００５３】
図９及び図１０は携帯電話機２からＷｅｂサーバ３へアクセスした際に、携帯電話機２のブラウザ２５１に表示される案内画面のイメージを示す説明図である。図９Ａは携帯電話機２からＷｅｂサーバ３Ａへアクセスした際の案内画面を示し、図９Ｂは携帯電話機２からＷｅｂサーバ３Ｂへアクセスした際の案内画面を示し、図１０は携帯電話機２からＷｅｂサーバ３Ｃへアクセスした際の案内画面を示す。Ｗｅｂサーバ３ＡのＣＰＵ３Ａ１は、ＵＩＤ「００１」の携帯電話機２から、楽曲ＩＤ「Ｍ００１」の楽曲データの配信要求を受信した場合、図９Ａに示すＨＴＭＬ文書を作成して携帯電話機２へ送信する。
【００５４】
ＣＰＵ３Ａ１は楽曲ＩＤ「Ｍ００１」の楽曲データをダウンロードするためのハイパーリンクＨ１、及び、楽曲データ以外の一部楽曲データ及びカラオケデータを、統合サーバ１を経由してＷｅｂサーバ３Ｂまたは３ＣからダウンロードするためのハイパーリンクＨ２をＨＴＭＬ文書内に記述し、携帯電話機２へ送信する。図９Ａに示すように、ＵＩＤ「００１」の携帯電話機２のブラウザ２５１には、楽曲データをダウンロードするためのハイパーリンクＨ１、及び、統合サーバ１へアクセスするためのハイパーリンクＨ２が表示される。
【００５５】
このハイパーリンクＨ２には統合サーバ１のＵＲＬ、及び楽曲ＩＤ等を特定するための情報を記述しておけばよい。例えば、http://www.統合サーバ１のアドレス.M001・・・等を記述しておけば良い。また、ハイパーリンクＨ２に記述する文章には、楽曲データ以外の一部楽曲データ及びカラオケデータ等のダウンロードを促進する文言を記述しておけば良い。ユーザは携帯電話機２の入力部２３を通じて、ハイパーリンクＨ２をクリックする。携帯電話機２はハイパーリンクＨ２に記述されたＵＲＬに従い、統合サーバ１へアクセスする。これにあわせて、携帯電話機２から統合サーバ１へは、ＵＩＤ及び楽曲ＩＤの情報が送信される。なお、携帯電話機２のＣＰＵ２１は入力部２３からハイパーリンクＨ１の入力を受け付けた場合、Ｗｅｂサーバ３Ａへアクセスする。Ｗｅｂサーバ３ＡのＣＰＵ３Ａ１は携帯電話機２から送信されたＵＩＤ及び楽曲ＩＤに基づき、対応する楽曲データを楽曲ＤＢ３ＡＭから読み出し、携帯電話機２へ送信する。
【００５６】
一方、Ｗｅｂサーバ３ＢのＣＰＵ３Ｂ１は、ＵＩＤ「００１」の携帯電話機２から、一部楽曲ＩＤ「Ｐ００１」の一部楽曲データの配信要求を受信した場合、図９Ｂに示すＨＴＭＬ文書を作成して携帯電話機２へ送信する。ＣＰＵ３Ｂ１は一部楽曲ＩＤ「Ｐ００１」の一部楽曲データをダウンロードするためのハイパーリンクＨ３、及び、一部楽曲データ以外の楽曲データ及びカラオケデータを、統合サーバ１からダウンロードするためのハイパーリンクＨ４をＨＴＭＬ文書内に記述し、携帯電話機２へ送信する。図９Ｂに示すように、ＵＩＤ「００１」の携帯電話機２のブラウザ２５１には、一部楽曲データをダウンロードするためのハイパーリンクＨ３、及び、統合サーバ１へアクセスするためのハイパーリンクＨ４が表示される。
【００５７】
ハイパーリンクＨ４には統合サーバ１のＵＲＬ、及び一部楽曲ＩＤ等を特定するための情報を記述しておけばよい。例えば、http://www.統合サーバ１のアドレス.P001・・・等を記述しておけば良い。ユーザは携帯電話機２の入力部２３を通じて、ハイパーリンクＨ４をクリックする。携帯電話機２はハイパーリンクＨ４に記述されたＵＲＬに従い、統合サーバ１へアクセスする。これにあわせて、携帯電話機２から統合サーバ１へは、ＵＩＤ及び一部楽曲ＩＤの情報が送信される。なお、携帯電話機２のＣＰＵ２１は入力部２３からハイパーリンクＨ３の入力を受け付けた場合、Ｗｅｂサーバ３Ｂへアクセスする。Ｗｅｂサーバ３ＢのＣＰＵ３Ｂ１は携帯電話機２から送信されたＵＩＤ及び一部楽曲ＩＤに基づき、対応する一部楽曲データを一部楽曲ＤＢ３ＢＰから読み出し、携帯電話機２へ送信する。
【００５８】
さらに、Ｗｅｂサーバ３ＣのＣＰＵ３Ｃ１は、ＵＩＤ「００１」の携帯電話機２から、カラオケＩＤ「Ｋ００１」のカラオケデータの配信要求を受信した場合、図１０に示すＨＴＭＬ文書を作成して携帯電話機２へ送信する。ＣＰＵ３Ｃ１はカラオケＩＤ「Ｋ００１」のカラオケデータをダウンロードするためのハイパーリンクＨ５、及び、カラオケデータ以外の楽曲データ及び一部楽曲データを、統合サーバ１からダウンロードするためのハイパーリンクＨ６をＨＴＭＬ文書内に記述し、携帯電話機２へ送信する。図１０に示すように、ＵＩＤ「００１」の携帯電話機２のブラウザ２５１には、カラオケデータをダウンロードするためのハイパーリンクＨ５、及び、統合サーバ１へアクセスするためのハイパーリンクＨ６が表示される。
【００５９】
ハイパーリンクＨ６には統合サーバ１のＵＲＬ、及びカラオケＩＤ等を特定するための情報を記述しておけばよい。例えば、http://www.統合サーバ１のアドレス.K001・・・等を記述しておけば良い。ユーザは携帯電話機２の入力部２３を通じて、ハイパーリンクＨ６をクリックする。携帯電話機２はハイパーリンクＨ６に記述されたＵＲＬに従い、統合サーバ１へアクセスする。これにあわせて、携帯電話機２から統合サーバ１へは、ＵＩＤ及びカラオケＩＤの情報が送信される。なお、携帯電話機２のＣＰＵ２１は入力部２３からハイパーリンクＨ５の入力を受け付けた場合、Ｗｅｂサーバ３Ｃへアクセスする。Ｗｅｂサーバ３ＣのＣＰＵ３Ｃ１は携帯電話機２から送信されたＵＩＤ及びカラオケＩＤに基づき、対応するカラオケデータをカラオケＤＢ３ＣＫから読み出し、携帯電話機２へ送信する。
【００６０】
図１１は統合サーバ１のハードウェア構成を示すブロック図である。統合サーバ１は、制御部としてのＣＰＵ１１、ＲＡＭ１２、入力部１３、表示部１４、通信部１６、時計部１８及び記憶部１５を含んで構成される。ＣＰＵ１１は、バス１７を介して統合サーバ１のハードウェア各部と接続されていて、それらを制御すると共に、記憶部１５に格納された制御プログラム１５Ｐに従って、種々のソフトウェア的機能を実行する。
【００６１】
通信部１６はファイアウォールとしての機能を果たすゲートウェイ等であり、携帯電話機２、Ｗｅｂサーバ３Ａ、３Ｂ及び３Ｃとの間で必要な情報を送受信する。入力部１３はキーボード及びマウス等であり、表示部１４は例えば液晶ディスプレイであり、時計部１８は日時情報をＣＰＵ１１へ出力する。記憶部１５は例えばハードディスクであり制御プログラム１５Ｐの他、リンク先記憶部１５１、配信履歴ファイル１５２、特別リンク記憶部１５３、ポイントファイル１５４及び補助リンク記憶部１５５等が記憶されている。
【００６２】
リンク先記憶部１５１は各ウェブサイト（Ｗｅｂサーバ３Ａ、３Ｂ及び３Ｃ）のＵＲＬを記憶している。図１２はリンク先記憶部１５１のレコードレイアウトを示す説明図である。Ｗｅｂサーバ３Ａである楽曲配信サイト、Ｗｅｂサーバ３Ｂである一部楽曲配信サイト、及びＷｅｂサーバ３Ｃであるカラオケ配信サイトそれぞれへアクセスするためのＵＲＬが記憶されている。
【００６３】
図１３は楽曲データ、一部楽曲データ及びカラオケデータをダウンロードするためのページのイメージを示す説明図である。ＣＰＵ１１は、携帯電話機２から、ハイパーリンクＨ２、Ｈ４またはＨ６の操作に伴う、ＨＴＭＬ文書の取得要求を受け付けた場合、ハイパーリンクＨ２、Ｈ４またはＨ６の内容を解析して対応する楽曲データ、一部楽曲データ及びカラオケデータをダウンロードするためのＨＴＭＬ文書を生成する。ハイパーリンクＨ２、Ｈ４及びＨ６の操作に伴い、ＵＩＤ、並びに、楽曲ＩＤ、一部楽曲ＩＤ及びカラオケＩＤが統合サーバ１へ送信されることから、ＣＰＵ１１はこれらを抽出する。なお楽曲ＩＤ、一部楽曲ＩＤ及びカラオケＩＤは特定の識別情報により相互に関連づけられており、いずれか一つのＩＤを受信した場合、他のＩＤを認識することができる。例えば本例のように下３桁を楽曲データ、一部楽曲データ及びカラオケデータを一意に特定する識別情報（本例では００１）としておき、上位１桁をこれらの種類を表す情報（本例ではＭ、Ｐ、Ｋ）とすればよい。そのほか、これらＩＤを対応づける識別情報を予め統合サーバ１内に記憶しておき、この識別情報を用いて各ＩＤを特定するようにしても良い。
【００６４】
ＣＰＵ１１は、リンク先記憶部１５１から楽曲配信サイト（Ｗｅｂサーバ３Ａ）へアクセスするためのＵＲＬを読み出し、このＵＲＬにＵＩＤ及び楽曲ＩＤを付加したハイパーリンクＨ１３１をＨＴＭＬ文書に記述する。これが楽曲データに対するＷｅｂサーバ３Ａへのリンク先となり、記憶部１５に記憶またはＲＡＭ１２に一時的に記憶され、その後ＨＴＭＬ文書に記述される。例えばハイパーリンクＨ１３１はＷｅｂサーバ３ＡのＵＲＬ、楽曲ＩＤ及びＵＩＤを含んで構成される。
【００６５】
同様に、ＣＰＵ１１はリンク先記憶部１５１から一部楽曲配信サイト（Ｗｅｂサーバ３Ｂ）へアクセスするためのＵＲＬを読み出し、このＵＲＬにＵＩＤ及び一部楽曲ＩＤを付加したハイパーリンクＨ１３２をＨＴＭＬ文書に記述する。これが一部楽曲データに対するＷｅｂサーバ３Ｂへのリンク先となり、記憶部１５に記憶またはＲＡＭ１２に一時的に記憶され、その後ＨＴＭＬ文書に記述される。例えばハイパーリンクＨ１３２はＷｅｂサーバ３ＢのＵＲＬ、一部楽曲ＩＤ及びＵＩＤを含んで構成される。さらに、リンク先記憶部１５１からカラオケ配信サイト（Ｗｅｂサーバ３Ｃ）へアクセスするためのＵＲＬを読み出し、このＵＲＬにＵＩＤ及びカラオケＩＤを付加したハイパーリンクＨ１３３をＨＴＭＬ文書に記述する。これがカラオケデータに対するＷｅｂサーバ３Ｃへのリンク先となり、記憶部１５に記憶またはＲＡＭ１２に一時的に記憶され、その後ＨＴＭＬ文書に記述される。例えばハイパーリンクＨ１３３はＷｅｂサーバ３ＣのＵＲＬ、カラオケＩＤ及びＵＩＤを含んで構成される。
【００６６】
ＣＰＵ１１はリンク先となるハイパーリンクＨ１３１、Ｈ１３２及びＨ１３３が記述されたＨＴＭＬ文書を携帯電話機２へ送信する。携帯電話機２のＣＰＵ２１はブラウザ２５１に図１３に示すダウンロード画面を表示する。楽曲データをダウンロードするためのハイパーリンクＨ１３１、一部楽曲データをダウンロードするためのハイパーリンクＨ１３２、カラオケデータをダウンロードするためのハイパーリンクＨ１３３がそれぞれ表示される。このように一のウェブサイトへのアクセスにより、他の音楽に関するウェブサイトへアクセスするためのリンク先が設定される。
【００６７】
ユーザはダウンロードを希望するハイパーリンクＨ１３１、Ｈ１３２、またはＨ１３３をクリックする。例えば、ハイパーリンクＨ１３３が入力部２３から操作された場合、ＣＰＵ２１はこの情報を受け付け、カラオケ配信サイトであるＷｅｂサーバ３ＣへＵＩＤ及びカラオケＩＤを送信する。同様に、ハイパーリンクＨ１３１が入力部２３から操作された場合、ＣＰＵ２１はこの情報を受け付け、楽曲配信サイトであるＷｅｂサーバ３ＡへＵＩＤ及び楽曲ＩＤを送信し、ハイパーリンクＨ１３２が入力部２３から操作された場合、ＣＰＵ２１はこの情報を受け付け、一部楽曲配信サイトであるＷｅｂサーバ３ＢへＵＩＤ及び一部楽曲ＩＤを送信する。
【００６８】
これにより、ユーザの携帯電話機２はＷｅｂサーバ３Ｂ、３Ｃまたは３Ａへアクセスでき、送信した一部楽曲ＩＤ、カラオケＩＤ及び楽曲ＩＤに対応する一部楽曲データ、カラオケデータまたは楽曲データをダウンロードすることができる。Ｗｅｂサーバ３ＡのＣＰＵ３Ａ１は、ＵＩＤ「００１」のユーザの携帯電話機２へ楽曲データを配信した場合、配信履歴を統合サーバ１へ送信する。具体的には、ＣＰＵ３Ａ１は、ＵＩＤ「００１」、楽曲ＩＤ「Ｍ００１」及び配信が完了したことを示す完了情報を統合サーバ１へ送信する。同様に、Ｗｅｂサーバ３ＢのＣＰＵ３Ｂ１は、ＵＩＤ「００１」のユーザの携帯電話機２へ一部楽曲データを配信した場合、配信履歴として、ＵＩＤ「００１」、一部楽曲ＩＤ「Ｐ００１」及び完了情報を統合サーバ１へ送信する。またＷｅｂサーバ３ＣのＣＰＵ３Ｃ１は、ＵＩＤ「００１」のユーザの携帯電話機２へカラオケデータを配信した場合、配信履歴として、ＵＩＤ「００１」、カラオケＩＤ「Ｋ００１」及び完了情報を統合サーバ１へ送信する。
【００６９】
図１３のハイパーリンクＨ１３１、Ｈ１３２及びＨ１３３の右側各列には、楽曲データ、一部楽曲データ及びカラオケデータをダウンロードしたか否かを示す履歴が表示されている。具体的には、ダウンロード済みまたは未ダウンロードと表示されている。図１４は配信履歴ファイル１５２のレコードレイアウトを示す説明図である。配信履歴ファイル１５２は楽曲ＩＤフィールド、配信履歴フィールド及び配信日時フィールドを含んで構成される。配信履歴ファイル１５２はＵＩＤ別に、楽曲データ、一部楽曲データ及びカラオケデータの配信履歴を記憶している。楽曲ＩＤフィールドには、楽曲ＩＤが記憶されており、図の例ではＵＩＤ「００１」のユーザの楽曲ＩＤ「Ｍ００１」及び「Ｍ００２」に関する配信履歴が記憶されている。
【００７０】
配信履歴フィールドには、楽曲データ、一部楽曲データ及びカラオケデータ別に、配信が完了したか否かの情報が記憶されている。配信履歴フィールドの○印は配信が完了していることを示し、×印は配信が完了していないことを示す。図の例では楽曲ＩＤ「Ｍ００１」については、楽曲データのみ配信が完了しており、一部楽曲データ及びカラオケデータについては配信が完了していない。一方、楽曲ＩＤ「Ｍ００２」については、楽曲データ、一部楽曲データ及びカラオケデータ全ての配信が完了している。配信日時フィールドには配信が完了した日時を楽曲ＩＤ及び配信対象のデータに対応づけて記憶している。
【００７１】
ＣＰＵ１１はＷｅｂサーバ３ＡからＵＩＤ、楽曲ＩＤ及び完了情報を受信した場合、配信履歴ファイル１５２にこれらの情報を記憶する。そしてＣＰＵ１１は時計部１８から出力される日時情報を配信日時フィールドに記憶する。図１４の例では、楽曲ＩＤ「Ｍ００１」の楽曲データの配信完了情報が「２００７年３月２２日１２時２３分１０秒」に送信されている。同様に、Ｗｅｂサーバ３ＢからＵＩＤ、一部楽曲ＩＤ及び完了情報を受信した場合、配信履歴ファイル１５２にこれらの情報及び配信日時を記憶し、Ｗｅｂサーバ３ＣからＵＩＤ、カラオケＩＤ及び完了情報を受信した場合、配信履歴ファイル１５２にこれらの情報及び配信日時を記憶する。
【００７２】
ＣＰＵ１１は、配信履歴ファイル１５２の配信履歴フィールドを参照し、楽曲データ、一部楽曲データまたはカラオケデータについてダウンロードが完了したか否かの情報をＨＴＭＬ文書内に記述する。これにより図１３のハイパーリンクＨ１３１、Ｈ１３２及びＨ１３３の右側には、それぞれダウンロードの有無に関する情報が表示される。図１３に示すＨＴＭＬ文書には、全てのデータをダウンロードするインセンティブとなる文書が記述されている。これは例えば、全てダウンロードすることを条件に、楽曲ＩＤ「Ｍ００１」に係る楽曲の特別バージョン配信をプレゼントする等を記述すればよい。この特別バージョンは、オリジナルの楽曲に対し、リズムを変えたもの、他のアーティストが参加して歌ったもの、Ｊａｚｚ風またはオーケストラ風にアレンジしたもの等が該当する。以下ではこの特別バージョンに係る楽曲データを特別楽曲データという。
【００７３】
図１５は全てのデータの配信が完了した場合の表示イメージを示す説明図であり、図１６は特別リンク記憶部１５３のレコードレイアウトを示す説明図である。統合サーバ１のＣＰＵ１１は、ＵＩＤ「００１」に係る携帯電話機２からアクセスがあった場合、配信履歴ファイル１５２を参照し、楽曲データ、一部楽曲データ及びカラオケデータ全てについて配信が完了したか否かを判断する。そして全てのデータについて配信が完了したと判断した場合、特別リンク記憶部１５３から特別リンク先（以下、特別リンクＵＲＬ）を読み出し、この特別リンクＵＲＬが記述されたハイパーリンクを含むＨＴＭＬ文書を携帯電話機２へ送信する。図１５に示す如く、携帯電話機２のブラウザ２５１には特別楽曲データをダウンロードするためのハイパーリンクＨ１５１が表示される。
【００７４】
図１６に示すように、特別リンク記憶部１５３は楽曲ＩＤフィールド、特別リンクＵＲＬフィールド、特別楽曲ＩＤフィールド及び特別楽曲データフィールドを含んで構成される。特別リンクＵＲＬフィールドには楽曲ＩＤに対応づけて、特別楽曲データをダウンロードする際に必要となるＵＲＬが記憶されている。特別楽曲データフィールド及び特別楽曲ＩＤフィールドには、楽曲ＩＤ及び特別リンクＵＲＬフィールドに対応づけて、特別楽曲データ及びこれを特定するためのＩＤを記憶している。楽曲ＩＤ「Ｍ００１」に対応する特別楽曲ＩＤは「ＳＰ００１」である。なお、特別楽曲データの格納場所は必ずしも統合サーバ１内である必要はなく、Ｗｅｂサーバ３Ａ，３Ｂまたは３Ｃのいずれか、または他の図示しないＤＢに記憶するようにしても良い。
【００７５】
各Ｗｅｂサイト３Ａ、３Ｂ、３Ｃからのダウンロードにより、特別楽曲データをダウンロードするためのハイパーリンクＨ１５１が表示され、ユーザはハイパーリンクＨ１５１を操作することにより、特別楽曲ＩＤ「ＳＰ００１」に係る特別楽曲データを受信することができる。また、各ユーザのポイントを統合管理することによりさらなる補助ハイパーリンクを設定しても良い。
【００７６】
図１７はポイントファイル１５４のレコードレイアウトを示す説明図である。ポイントファイル１５４はＵＩＤに対応づけて総合ポイントを記憶している。Ｗｅｂサーバ３ＡのＣＰＵ３Ａ１は所定時間毎（例えば１時間毎）にポイントファイル３Ａ５２に記憶したＵＩＤに対応づけられるポイントを統合サーバ１へ送信する。なお、このポイントはＷｅｂサーバ３から携帯電話機２へ楽曲データ、一部楽曲データまたはカラオケデータを配信する度にインクリメントされるものである。同様に、Ｗｅｂサーバ３ＢのＣＰＵ３Ｂ１も所定時間毎にポイントファイル３Ｂ５２に記憶したＵＩＤに対応づけられるポイントを統合サーバ１へ送信し、Ｗｅｂサーバ３ＣのＣＰＵ３Ｃ１も所定時間毎にポイントファイル３Ｃ５２に記憶したＵＩＤに対応づけられるポイントを統合サーバ１へ送信する。
【００７７】
統合サーバ１のＣＰＵ１１は定期的にＷｅｂサーバ３Ａ、３Ｂ及び３Ｃから送信されるポイントをＵＩＤ別に合算し、合計値をＵＩＤ別にポイントファイル１５４に記憶する。図の例ではＵＩＤ「００１」のユーザは現在総合ポイントが７１である。ＣＰＵ１１は総合ポイントが所定ポイント（例えば７０ポイント）を超えているか否かを判断し、超えている場合は、補助リンク先を読み出して携帯電話機２へ送信する。図１８は補助リンク先へアクセスする際のイメージを示す説明図であり、図１９は補助リンク記憶部１５５のレコードレイアウトを示す説明図である。補助リンク記憶部１５５は楽曲ＩＤフィールド、及び補助リンクＵＲＬフィールドを含んで構成される。
【００７８】
補助リンクＵＲＬフィールドには楽曲ＩＤに対応づけて、特別リンクＵＲＬとは異なる補助リンク先（以下補助リンクＵＲＬ）が記憶されている。本実施の形態においては、補助リンクＵＲＬは、楽曲ＩＤ「Ｍ００１」の楽曲を歌うアーティストのコンサートへ応募するＷｅｂページへのリンクであるものとして説明する。なお、特別リンクＵＲＬと同じく特別楽曲データとはさらに異なる楽曲データを提供するようにしても良い。ＣＰＵ１１は携帯電話機２からアクセスがあった場合、ＵＩＤを元に、ポイントファイル１５４を参照し、所定ポイント以上の場合に、ＵＩＤに対応する補助リンクＵＲＬを補助リンク記憶部１５５から読み出し、読み出した補助リンクＵＲＬへアクセスするためのハイパーリンクＨ１８１が記述されたＨＴＭＬ文書を携帯電話機２へ送信する。
【００７９】
図１８に示すように携帯電話機２のブラウザ２５１には補助リンクＵＲＬへアクセスするためのハイパーリンクＨ１８１が表示される。ユーザは携帯電話機２の入力部２３からハイパーリンクＨ１８１を操作する。ＣＰＵ２１はハイパーリンクＨ１８１の入力を受け付け、記述された補助リンクＵＲＬを参照して、当該ＵＲＬに係るＷｅｂページをダウンロードする。本例では楽曲ＩＤ「００１」に対応するアーティストのコンサートへ応募するためのＷｅｂページがダウンロードされる。図示しないが、ユーザは入力部２３を通じてユーザの氏名及び連絡先等応募に必要な事項を入力する。
【００８０】
以上のハードウェア構成において本実施の形態に係る処理手順を、フローチャートを用いて説明する。なお、以下では説明を容易にするためにユーザはまず楽曲配信サイトに係るＷｅｂサイト３Ａへアクセスし、それから統合サーバ１へ誘導され、その後一部楽曲配信サイトに係るＷｅｂサイト３Ｂ及びカラオケ配信サイトに係るＷｅｂサイト３Ｃへアクセスする処理手順について説明する。図２０乃至図２２は楽曲データの配信処理の手順を示すフローチャートである。携帯電話機２のＣＰＵ２１はブラウザ２５１を起動し、Ｗｅｂサーバ３Ａへアクセスする。その後、ＣＰＵ２１はＷｅｂサーバ３ＡへＵＩＤ及び配信を希望する楽曲ＩＤを送信する（ステップＳ２０１）。
【００８１】
Ｗｅｂサーバ３ＡのＣＰＵ３Ａ１は送信された楽曲ＩＤをダウンロードするためのハイパーリンクＨ１及び統合サーバ１へアクセスするためのＵＲＬ及び楽曲ＩＤを含むハイパーリンクＨ２を基本となるＨＴＭＬ文書に記述する（ステップＳ２０２）。ＣＰＵ３Ａ１は記述を終えたＨＴＭＬ文書を携帯電話機２へ送信する（ステップＳ２０３）。これにより図９Ａに示す画面がブラウザ２５１に表示される。携帯電話機２のＣＰＵ２１は楽曲をダウンロードするためのハイパーリンクＨ１の入力を入力部２３から受け付けたか否かを判断する（ステップＳ２０４）。
【００８２】
ＣＰＵ２１はハイパーリンクＨ１の入力を受け付けた場合（ステップＳ２０４でＹＥＳ）、ＵＩＤ及び楽曲ＩＤをＷｅｂサーバ３Ａへ送信する（ステップＳ２０５）。Ｗｅｂサーバ３ＡのＣＰＵ３Ａ１は送信された楽曲ＩＤに対応する楽曲データを楽曲ＤＢ３ＡＭから読み出し（ステップＳ２０６）、読み出した楽曲データを携帯電話機２へ送信する（ステップＳ２０７）。携帯電話機２のＣＰＵ２１は楽曲データを受信する（ステップＳ２０８）。携帯電話機２のＣＰＵ２１は再生アプリケーション２５２を起動し、楽曲データの再生を行う。
【００８３】
ステップＳ２０７の処理の後、Ｗｅｂサーバ３ＡのＣＰＵ３Ａ１は、履歴及びポイントを統合サーバ１へ通知すべく、ステップＳ２０１で送信された携帯電話機２のＵＩＤ、楽曲ＩＤ及び配信完了情報を統合サーバ１へ送信する（ステップＳ２０９）。統合サーバ１のＣＰＵ１１はＵＩＤ、楽曲ＩＤ及び配信完了情報を受信し、ＵＩＤ及び楽曲ＩＤに対応づけて配信履歴ファイル１５２に配信完了情報を記憶する（ステップＳ２１１）。さらにＷｅｂサーバ３ＡのＣＰＵ３Ａ１はポイントファイル３Ａ５２に記憶したＵＩＤに対応するポイントをインクリメントする（ステップＳ２１２）。
【００８４】
ＣＰＵ３Ａ１はインクリメント後、ＵＩＤ及びポイントを統合サーバ１へ送信する（ステップＳ２１３）。なお、ポイントの送信は一定時間毎に行っても良い。統合サーバ１のＣＰＵ１１は送信されたＵＩＤ及びポイントを受信し、ＵＩＤに対応づけて楽曲に係るポイントをＲＡＭ１２に記憶する（ステップＳ２１４）。携帯電話機２のＣＰＵ２１はステップＳ２０４においてハイパーリンクＨ１の入力を受け付けなかった場合（ステップＳ２０４でＮＯ）、統合サーバ１へアクセスするためのハイパーリンクＨ２の入力を入力部２３から受け付けたか否かを判断する（ステップＳ２１５）。
【００８５】
ＣＰＵ２１はハイパーリンクＨ２の入力を受け付けなかった場合（ステップＳ２１５でＮＯ）、ユーザにダウンロードの意思がないものとして一連の処理を終了する。一方、ＣＰＵ２１はハイパーリンクＨ２の入力を受け付けた場合（ステップＳ２１５でＹＥＳ）、統合サーバ１へ楽曲ＩＤ及びＵＩＤを送信する（ステップＳ２１６）。統合サーバ１のＣＰＵ１１はＵＩＤ及び楽曲ＩＤを受信する（ステップＳ２１７）。統合サーバ１のＣＰＵ１１は図１３、図１５または図１８のいずれかに記載したリンク先を含むＨＴＭＬ文書を生成し（ステップＳ２１８）、生成したＨＴＭＬ文書を携帯電話機２へ送信する（ステップＳ２１９）。なお、ステップＳ２１８のサブルーチンについては後述する。
【００８６】
携帯電話機２のＣＰＵ２１は送信されたＨＴＭＬ文書を受信し（ステップＳ２２１）、ブラウザ２５１に受信したＨＴＭＬ文書を図１３、図１５または図１８の如く表示する（ステップＳ２２２）。
【００８７】
図１３に表示されたハイパーリンクＨ１３１、Ｈ１３２、またはＨ１３３のいずれかをクリックした場合、Ｗｅｂサーバ３Ａ、３Ｂ、または３Ｃへアクセスでき、楽曲データ、一部楽曲データまたはカラオケデータのダウンロードが可能となる。以下では、ハイパーリンクＨ１３３がクリックされ、カラオケ配信サイトであるＷｅｂサーバ３Ｃへアクセスした場合の処理について説明する。なお、ハイパーリンクＨ１３１及びＨ１３２をクリックした場合の処理については同様であるので詳細な説明は省略する。
【００８８】
図２３及び図２４はカラオケデータをダウンロードする際の処理手順を示すフローチャートである。携帯電話機２のＣＰＵ２１はカラオケデータをダウンロードするためのハイパーリンクＨ１３３の入力を入力部２３から受け付ける（ステップＳ２３１）。ＣＰＵ２１はハイパーリンクＨ１３３内に記述されたＵＲＬを参照して、Ｗｅｂサーバ３Ｃへアクセスし、ＵＩＤ及びカラオケＩＤをＷｅｂサーバ３Ｃへ送信する（ステップＳ２３２）。Ｗｅｂサーバ３ＣのＣＰＵ３Ｃ１はＵＩＤ及びカラオケＩＤを受信する（ステップＳ２３３）。
【００８９】
ＣＰＵ３Ｃ１は送信されたカラオケＩＤに対応するカラオケデータをカラオケＤＢ３ＣＫから読み出し（ステップＳ２３４）、読み出したカラオケデータを携帯電話機２へ配信する（ステップＳ２３５）。携帯電話機２のＣＰＵ２１は配信されたカラオケデータを受信する（ステップＳ２３６）。ＣＰＵ２１は再生アプリケーション２５２を起動し、カラオケデータの再生を行う（ステップＳ２３７）。
【００９０】
ステップＳ２３５の処理の後、Ｗｅｂサーバ３ＣのＣＰＵ３Ｃ１は統合サーバ１へステップＳ２３３で受信したＵＩＤ、カラオケＩＤ及び配信完了情報を送信する（ステップＳ２４１）。統合サーバ１のＣＰＵ１１はＵＩＤ及びカラオケＩＤに対応づけて配信完了情報を配信履歴ファイル１５２に記憶する（ステップＳ２４２）。Ｗｅｂサーバ３ＣのＣＰＵ３Ｃ１はステップＳ２４１の後、ポイントファイル３Ｃ５２に記憶したＵＩＤに対応するポイントをインクリメントする（ステップＳ２４３）。ＣＰＵ３Ｃ１はＵＩＤ及びインクリメント後のポイントを統合サーバ１へ送信する（ステップＳ２４４）。統合サーバ１のＣＰＵ１１はＵＩＤ及びポイントを受信し、カラオケに係るポイントをＲＡＭ１２に記憶する（ステップＳ２４５）。以上の処理が適宜繰り返されることにより、楽曲データ等の配信履歴及びポイントの蓄積処理が行われる。
【００９１】
図２５及び図２６は複数のハイパーリンクを含むＨＴＭＬ文書の生成処理の手順を示すフローチャートである。統合サーバ１のＣＰＵ１１はステップＳ２１８のサブルーチンとして以下の処理を実行する。ＣＰＵ１１はリンク先記憶部１５１から楽曲配信サイトのＵＲＬを読み出す（ステップＳ２５１）。ＣＰＵ１５は携帯電話機２から受信した楽曲ＩＤ、一部楽曲ＩＤまたはカラオケＩＤに基づく楽曲ＩＤ、受信したＵＩＤ、及び、読み出したＵＲＬを含む情報をリンク先として記憶部１５に記憶し、これらの情報を含む楽曲配信サイトへアクセスするためのハイパーリンクＨ１３１を生成する（ステップＳ２５２）。
【００９２】
ＣＰＵ１１はリンク先記憶部１５１から一部楽曲配信サイトのＵＲＬを読み出す（ステップＳ２５３）。ＣＰＵ１１は携帯電話機２から受信した楽曲ＩＤ、一部楽曲ＩＤまたはカラオケＩＤに基づく一部楽曲ＩＤ、受信したＵＩＤ、及び、読み出したＵＲＬを含む情報をリンク先として記憶部１５に記憶し、これらの情報を含む一部楽曲配信サイトへアクセスするためのハイパーリンクＨ１３２を生成する（ステップＳ２５４）。ＣＰＵ１１はリンク先記憶部１５１からカラオケ配信サイトのＵＲＬを読み出す（ステップＳ２５５）。ＣＰＵ１１は携帯電話機２から受信した楽曲ＩＤ、一部楽曲ＩＤまたはカラオケＩＤに基づくカラオケＩＤ、受信したＵＩＤ、及び、読み出したＵＲＬを含む情報をリンク先として記憶部１５に記憶し、これらの情報を含むカラオケ配信サイトへアクセスするためのハイパーリンクＨ１３３を生成する（ステップＳ２５６）。
【００９３】
ＣＰＵ１１は基本となるＨＴＭＬ文書を記憶部１５から読み出し（ステップＳ２５７）、読み出したＨＴＭＬ文書にＵＩＤを記述する（ステップＳ２５８）。ＣＰＵ１１はステップＳ２５２、Ｓ２５４及びＳ２５６で生成したハイパーリンクＨ１３１、Ｈ１３２及びＨ１３３をＨＴＭＬ文書に記述する（ステップＳ２５９）。ＣＰＵ１１は配信履歴ファイル１５２を参照して楽曲データ、一部楽曲データ及びカラオケデータの配信履歴を読み出す（ステップＳ２６１）。ＣＰＵ１１は楽曲データ、一部楽曲データ及びカラオケデータ別にダウンロードが完了したか否かの情報をＨＴＭＬ文書に記述する（ステップＳ２６２）。これにより、図１３に示す画面が携帯電話機２のブラウザ２５１に表示される。
【００９４】
ＣＰＵ１１は楽曲データ、一部楽曲データ及びカラオケデータ全てのダウンロードが完了したか否かを判断する（ステップＳ２６３）。ＣＰＵ１１は全てのダウンロードが完了していると判断した場合（ステップＳ２６３でＹＥＳ）、特別リンク記憶部１５３から楽曲ＩＤに対応する特別リンクＵＲＬを読み出す（ステップＳ２６４）。ＣＰＵ１１は読み出した特別リンクＵＲＬを含むハイパーリンクＨ１５１を生成し（ステップＳ２６５）、生成したハイパーリンクＨ１５１をＨＴＭＬ文書に記述する（ステップＳ２６６）。これにより、図１５に示す画面が携帯電話機２のブラウザ２５１に表示される。
【００９５】
ＣＰＵ１１は、ステップＳ２１４及びＳ２４５等でＲＡＭ１２に記憶した、ＵＩＤに対応する楽曲データに係るポイント、一部楽曲データに係るポイント及びカラオケデータに係るポイントをＲＡＭ１２から読み出す（ステップＳ２６７）。ＣＰＵ１１は各ポイントの合計値を算出し（ステップＳ２６８）、算出した合計値を総合ポイントとして、ＵＩＤに対応づけてポイントファイル１５４に記憶する（ステップＳ２６９）。
【００９６】
ＣＰＵ１１はＵＩＤに対応する総合ポイントが所定値以上であるか否かを判断する（ステップＳ２６１０）。ＣＰＵ１１は所定値以上であると判断した場合（ステップＳ２６１０でＹＥＳ）、補助リンク記憶部１５５から楽曲ＩＤに対応する補助リンクＵＲＬを読み出す（ステップＳ２６１１）。ＣＰＵ１１は読み出した補助リンクＵＲＬを含むハイパーリンクＨ１８１を生成する（ステップＳ２６１２）。ＣＰＵ１１は生成したハイパーリンクＨ１８１をＨＴＭＬ文書に記述する（ステップＳ２６１３）。ステップＳ２６１３の後、ステップＳ２６３において全てダウンロードが完了していないとＣＰＵ１１が判断した場合（ステップＳ２６３でＮＯ）、及びステップＳ２６１０において総合ポイントが所定値以上でないと判断した場合（ステップＳ２６１０でＮＯ）、一連の処理を終了する。
【００９７】
実施の形態２
実施の形態２は複数のユーザが共同でダウンロードを行う形態に関する。図２７は実施の形態２に係る統合サーバ１のハードウェア構成を示すブロック図である。実施の形態１の構成に加えて記憶部１５にはグループＤＢ１５６が記憶されている。グループＤＢ１５６はグループに属するＵＩＤを記憶するものである。
【００９８】
図２８はグループＤＢ１５６のレコードレイアウトを示す説明図である。グループＤＢ１５６はグループＩＤフィールド、ＵＩＤフィールド及びメールアドレスフィールドを含んで構成される。グループＩＤフィールドには複数のユーザが協調してダウンロードを行うためのグループを特定するための固有の識別情報（以下、グループＩＤ）が記憶されている。例えば、グループＩＤとして「Ｇ０１」及び「Ｇ０２」等が記憶されている。ＵＩＤフィールドにはグループに属する複数のＵＩＤが記憶されている。またメールアドレスフィールドには、各ユーザのメールアドレスがＵＩＤに対応づけて記憶されている。以下では、グループＩＤ「Ｇ０１」内にＵＩＤ「００１」及び「００２」の２人のユーザが存在するものとして説明する。
【００９９】
図２９はグループ登録を行う際のイメージを示す説明図である。ＵＩＤ「００１」のユーザは携帯電話機２から統合サーバ１へアクセスし、図２９Ａに示す登録メニュー画面を受信する。この登録メニュー画面は統合サーバ１の記憶部１５に記憶されている。登録メニュー画面には、グループ作成に関する情報の他、グループＩＤ入力ボックス２９１、メールアドレス入力ボックス２９２及びハイパーリンクＨ２９１等が表示される。ユーザは携帯電話機２の入力部２３からグループＩＤ入力ボックス２９１内に登録するグループＩＤを入力する。さらに、ＵＩＤ「００１」のユーザ本人のメールアドレス及び参加を呼びかける友人のメールアドレスをメールアドレス入力ボックス２９２内に、入力部２３を通じて入力する。
【０１００】
ハイパーリンクＨ２９１には統合サーバ１のＵＲＬ及び登録処理を行う旨のコマンドが記述されており、ハイパーリンクＨ２９１の入力を入力部２３から受け付けた場合、携帯電話機２のＣＰＵ２１は、登録処理のために統合サーバ１へＵＩＤ、入力されたグループＩＤ及びメールアドレスを送信する。統合サーバ１のＣＰＵ１１はグループＤＢ１５６に送信された内容を図２８の如く記憶する。統合サーバ１のＣＰＵ１１は、メーラを起動し、送信された友人のメールアドレス宛（本例ではG01002@・・・）に図２９Ｂに示す確認のメールを送信する。
【０１０１】
このメールの基本となる参加を促す文章は記憶部１５に記憶されており、ＣＰＵ１１は記憶部１５から文書を読み出し、グループＩＤ、ＵＩＤの情報及びハイパーリンクＨ２９２を追加したメールを友人のメールアドレス宛へ送信する。ハイパーリンクＨ２９２には統合サーバ１のＵＲＬ、友人のメールアドレス及び参加決定を示すコマンドが記述されている。友人のユーザがグループに参加する場合、ハイパーリンクＨ２９２を操作する。携帯電話機２のＣＰＵ２１はハイパーリンクＨ２９２の入力を受け付け、グループＩＤ、友人のメールアドレス及びＵＩＤ（本例では「００２」）を統合サーバ１へ送信する。
【０１０２】
統合サーバ１のＣＰＵ１１は受信したグループＩＤに対応するＵＩＤに参加の意思があると判断する。ＣＰＵ１１は送信されたグループＩＤ「Ｇ０１」及び友人のメールアドレスに基づき、受信したＵＩＤ「００２」を、グループＩＤ及び友人のメールアドレスに対応づけてグループＤＢ１５６に記憶する。以上の処理を複数の友人のユーザに対して行うことにより、グループの登録が完了する。なお、本実施の形態においては、統合サーバ１から友人のメールアドレス宛へメールを送信する構成としたが、本人の携帯電話機２から友人のメールアドレス宛へメールを送信しても良い。この場合、図２９ＡにおけるハイパーリンクＨ２９１が入力部２３からクリックされた場合、携帯電話機２はメーラを起動し、宛先をメールアドレス入力ボックス２９２に入力したアドレス、図２９Ｂに示す参加を促す画面及びハイパーリンクＨ２９２を含むメール本文を含むメールを送信する。
【０１０３】
図３０は実施の形態２に係る配信履歴ファイル１５２のレコードレイアウトを示す説明図である。実施の形態２においては一のグループＩＤに対して複数のＵＩＤに係る携帯電話機２によるダウンロードが実行される。そのため、ＣＰＵ１１はグループＩＤ別に、各ＵＩＤに係る携帯電話機２への配信履歴を記憶する。図３０に示すように、配信履歴ファイル１５２は、グループＩＤ別に、各ＵＩＤの楽曲データ、一部楽曲データ及びカラオケデータ別の配信履歴を記憶している。図３０の例はグループＩＤ「Ｇ０１」の配信履歴を示す。楽曲ＩＤ「Ｍ００１」に関しては、楽曲データのみが、ＵＩＤ「００１」に係る携帯電話機２へ配信されている。一方、楽曲ＩＤ「Ｍ００２」に関しては、協調処理により楽曲データがＵＩＤ「００２」に係る携帯電話機２へ配信され、一部楽曲データ及びカラオケデータがＵＩＤ「００１」に係る携帯電話機２へ配信されている。
【０１０４】
図３０において楽曲ＩＤ「Ｍ００１」に関する楽曲データがＵＩＤ「００１」に係る携帯電話機２へ配信された場合、配信完了を示すメールがグループ内の他のＵＩＤに係る携帯電話機２へ送信される。図３１は配信完了を示すメールのイメージを示す説明図である。メールには、ダウンロードが完了した情報と共に、グループＩＤ、ダウンロードしたＵＩＤ、並びに、楽曲ＩＤ、一部楽曲ＩＤまたはカラオケＩＤが表示される。そのほか、ダウンロードを促進するためのハイパーリンクＨ３１１が表示される。図３１の例では、ＵＩＤ「００１」のユーザが、楽曲ＩＤ「Ｍ００１」に係る楽曲データのダウンロードを完了したことを表示している。さらに、他のデータ、すなわち、一部楽曲データ及びカラオケデータをダウンロードするためのハイパーリンクＨ３１１が表示されている。
【０１０５】
ＣＰＵ１１は配信履歴ファイル１５２を監視し、配信履歴フィールドに配信履歴が記憶された場合、グループＩＤ及び配信のあったＵＩＤに基づき、グループＤＢ１５６を検索し、グループＩＤ内の配信のあったＵＩＤ以外のＵＩＤに係るメールアドレスを読み出す。本例ではＵＩＤ「００２」のメールアドレス「G01002@・・・」が読み出される。ＣＰＵ１１は基本となるメールを記憶部１５から読み出し、宛先を読み出したメールアドレスとし、基本となるメール中にグループＩＤ及び配信のあったＵＩＤを記述する。
【０１０６】
さらにＣＰＵ１１は配信履歴ファイル１５２を参照し、配信済みのデータのＩＤを読み出す。本例では楽曲ＩＤ「Ｍ００１」が読み出される。この配信済みの情報も基本となるメールに記述される。ＣＰＵ１１は統合サーバ１へアクセスするためのＵＲＬ、グループＩＤ及び配信済みのデータのＩＤを含むハイパーリンクＨ３１１を生成し、基本となるメール中に記述する。本例では、統合サーバ１のＵＲＬ、グループＩＤ「Ｇ０１」及び楽曲ＩＤ「Ｍ００１」を含む情報がハイパーリンクＨ３１１内に記述される。
【０１０７】
図３１において、ＵＩＤ「００２」のユーザが入力部２３を通じてハイパーリンクＨ３１１を操作した場合、ＣＰＵ２１は統合サーバ１へアクセスし、ＵＩＤ、グループＩＤ及び楽曲ＩＤを送信する。統合サーバ１のＣＰＵ１１はこれらの情報を受信し、実施の形態１で述べたとおりＨＴＭＬ文書を生成し、生成したＨＴＭＬ文書をＵＩＤ「００２」に係る携帯電話機２へ送信する。図３２はグループ内におけるダウンロード画面のイメージを示す説明図である。実施の形態１の図１３で述べたとおり、楽曲データをダウンロードするためのハイパーリンクＨ１３１、一部楽曲データをダウンロードするためのハイパーリンクＨ１３２、及びカラオケデータをダウンロードするためのハイパーリンクＨ１３３が表示される。
【０１０８】
本実施の形態においてはグループＩＤ及びこれに属するＵＩＤに基づき処理を行うので、グループＩＤがＨＴＭＬ文書内に記述されている。本例ではグループＩＤ「Ｇ０１」と表示されている。各ハイパーリンクＨ１３１、Ｈ１３２及びＨ１３３には並列して、ダウンロード状況が表示される。統合サーバ１のＣＰＵ１１は配信履歴ファイル１５２を参照し、配信が完了しているデータ及び当該データのＵＩＤを読み出し、データのダウンロード完了の情報と共に配信先のＵＩＤをＨＴＭＬ文書に記述する。本例ではＵＩＤ「００１」の携帯電話機２へ配信が行われているので、「００１ダウンロード済み」と楽曲データに関連させて情報が表示されている。これによりグループ内の他のユーザは、どのデータをダウンロードした場合に、特別リンクを得ることができるか容易に判断することができる。
【０１０９】
図３３は全てのデータについてダウンロードが完了した際のイメージを示す説明図である。複数のユーザ、または一のユーザにより楽曲データ、一部楽曲データ及びカラオケデータ全ての配信が完了した場合、実施の形態１で述べたように、特別リンクＵＲＬが記述されたハイパーリンクＨ１５１が表示される。図３３の例では、楽曲データはＵＩＤ「００１」のユーザがダウンロードし、一部楽曲データ及びカラオケデータはＵＩＤ「００２」のユーザがダウンロードしたことを示している。ＵＩＤ「００１」及びＵＩＤ「００２」の携帯電話機２のブラウザ２５１にはハイパーリンクＨ１５１が表示され、各ユーザが特別バージョンをダウンロードすることができる。
【０１１０】
図３４はグループ登録処理の手順を示すフローチャートである。グループ作成を希望するユーザは携帯電話機２から統合サーバ１へアクセスする（ステップＳ３４１）。統合サーバ１のＣＰＵ１１は記憶部１５から登録メニュー画面を読み出し、携帯電話機２へ送信する（ステップＳ３４２）。携帯電話機２のＣＰＵ２１は送信された登録メニュー画面を図２９Ａの如く表示する（ステップＳ３４３）。ＣＰＵ２１は入力部２３から入力されたグループＩＤ、本人のメールアドレス、及び友人のメールアドレスを受け付ける（ステップＳ３４４）。ＣＰＵ２１はハイパーリンクＨ２９１の入力をトリガに、ＵＩＤ、並びに、受け付けたグループＩＤ、本人のメールアドレス、及び友人のメールアドレスを統合サーバ１へ送信する（ステップＳ３４５）。
【０１１１】
統合サーバ１のＣＰＵ１１は送信されたＵＩＤ、並びに、グループＩＤ、本人のメールアドレス、及び友人のメールアドレスを受信し、グループＤＢ１５６に記憶する（ステップＳ３４６）。ＣＰＵ１１は記憶部１５から友人へのグループ参加を促す基本となるメールを読み出す（ステップＳ３４７）。ＣＰＵ１１は宛先をステップＳ３４６で記憶した友人のメールアドレスに設定する（ステップＳ３４８）。ＣＰＵ１１はグループＩＤ、グループの作成を行ったユーザのＵＩＤ、及び参加を決定するためのハイパーリンクＨ２９２をメール中に記述する（ステップＳ３４９）。ＣＰＵ１１は図２９Ｂに示す記述後のメールを友人のメールアドレス宛へ送信する（ステップＳ３４１０）。
【０１１２】
ＵＩＤ「００２」に係る携帯電話機２の入力部２３によりハイパーリンクＨ２９２をクリックする。これにより、携帯電話機２からＵＩＤ「００２」が統合サーバ１へ送信される。統合サーバ１のＣＰＵ１１はハイパーリンクＨ２９２に対応するＵＩＤを受信し（ステップＳ３４１１）、受信したＵＩＤをグループＩＤ及びメールアドレスに対応づけてグループＤＢ１５６に記憶する（ステップＳ３４１２）。
【０１１３】
図３５及び図３６はダウンロード状況の通知処理を示すフローチャートである。統合サーバ１のＣＰＵ１１は、配信履歴ファイル１５２に配信履歴が新たに記憶されたか否かを判断する（ステップＳ３５１）。ＣＰＵ１１は新たに配信履歴が記憶されていないと判断した場合（ステップＳ３５１でＮＯ）、新たに配信履歴が記憶されるまで待機する。一方新たに配信履歴が記憶されたと判断した場合（ステップＳ３５１でＹＥＳ）、配信履歴ファイル１５２から新たに記憶された配信履歴に係るグループＩＤ、楽曲ＩＤ、ＵＩＤを読み出す（ステップＳ３５２）。なお、本フローチャートにおいては、楽曲データが配信された例を説明するため、ステップＳ３５２の処理において楽曲ＩＤを読み出しているが、一部楽曲データまたはカラオケデータの配信履歴が記憶された場合は、一部楽曲ＩＤまたはカラオケＩＤが読み出される。
【０１１４】
ＣＰＵ１１は読み出したグループＩＤ及びＵＩＤに基づき、グループＤＢ１５６からメールアドレスを読み出す（ステップＳ３５３）。ＣＰＵ１１は基本となるメールを記憶部１５から読み出す（ステップＳ３５４）。ＣＰＵ１１は宛先をステップＳ３５３で読み出したメールアドレスに設定する（ステップＳ３５５）。ＣＰＵ１１は図３１に示すように、グループＩＤ、ＵＩＤ及び楽曲ＩＤ、並びに、ハイパーリンクＨ３１１をステップＳ３５４で読み出したメールに記述する（ステップＳ３５６）。なお、ハイパーリンクＨ３１１には、統合サーバ１へアクセスするためのＵＲＬ、グループＩＤ及び楽曲ＩＤが含まれる。
【０１１５】
ＣＰＵ１１は記述を終えたメールを携帯電話機２へ送信する（ステップＳ３５７）。携帯電話機２のＣＰＵ２１はメールを受信し（ステップＳ３５８）、記憶部２５に記憶したメーラを起動し、図３１の如く表示部２４に表示する。ここで入力部２３からハイパーリンクＨ３１１が操作された場合、ＣＰＵ２１はこれを受け付け、グループＩＤ、ＵＩＤ、及び楽曲ＩＤを統合サーバ１へ送信する（ステップＳ３５９）。統合サーバ１のＣＰＵ１１は送信されたグループＩＤ、ＵＩＤ及び楽曲ＩＤを受信する（ステップＳ３６１）。
【０１１６】
ＣＰＵ１１は、受信したグループＩＤ、ＵＩＤ及び楽曲ＩＤを参照し、配信履歴ファイル１５２から配信の完了している楽曲データに係るＵＩＤを読み出す（ステップＳ３６２）。ＣＰＵ１１は楽曲データの配信が完了した情報及びＵＩＤを、記憶部１５に記憶した基本となるＨＴＭＬ文書に記述する（ステップＳ３６３）。これにより、図３２に示す如く「００１ダウンロード済み」との表示が可能となる。続いてＣＰＵ１１は一部楽曲のデータの配信が完了していない情報及びカラオケデータの配信が完了していない情報をＨＴＭＬ文書に記述する（ステップＳ３６４）。これにより、図３２に示す如く「未ダウンロード」との表示が可能となる。なお、ステップＳ３６３及びステップＳ３６４の処理内容は、実施の形態１のステップＳ２６２の処理の詳細を示したものである。また、楽曲データ、一部楽曲データ及びカラオケデータ全ての配信が完了している場合は、図３３に示す如く楽曲データ、一部楽曲データまたはカラオケデータそれぞれに、ダウンロード済みの情報及びダウンロードしたユーザのＵＩＤが並記される。この場合、図３３の如く、楽曲データに関し「００１ダウンロード済み」と表示され、一部楽曲データに関し「００２ダウンロード済み」と表示され、カラオケデータに関し「００２ダウンロード済み」と表示される。
【０１１７】
ＣＰＵ１１はリンク先を含むＨＴＭＬ文書を生成する（ステップＳ３６５）。なお、ステップＳ３６５の処理の詳細は、実施の形態１で述べたステップＳ２１８及びステップＳ２５１乃至ステップＳ２６１３で述べたとおりであるので詳細な説明は省略する。ＣＰＵ１１は生成したＨＴＭＬ文書を携帯電話機２へ送信する（ステップＳ３６６）。携帯電話機２のＣＰＵ２１は送信されたＨＴＭＬ文書を受信し（ステップＳ３６７）、ブラウザ２５１に送信されたＨＴＭＬ文書を表示する。
【０１１８】
なお、実施の形態１及び２においてはそれぞれ異なる楽曲配信サイト、一部楽曲配信サイト及びカラオケ配信サイトから、楽曲データ、一部楽曲データ及びカラオケデータを配信する形態について示したが、これに限るものではない。例えば、ＭＰ３（MPEG-1 Audio Layer3）またはＷＡＶ形式等で配信を行う音楽配信サイトＡ、音楽配信サイトＢ、及び音楽配信サイトＣから、音楽情報及び関連音楽情報を配信する形態であっても良い。この場合、あるアーティストのアルバムの楽曲がＮｏ．１からＮｏ．１０まで存在する場合、Ｎｏ．１を音楽情報とし、Ｎｏ．２乃至Ｎｏ．１０を関連音楽情報とし、Ｎｏ．１〜Ｎｏ．３を音楽配信サイトＡから配信し、Ｎｏ．４〜Ｎｏ．８を音楽配信サイトＢから配信し、Ｎｏ．９及びＮｏ．１０を音楽配信サイトＣから配信するようにしても良い。
【０１１９】
本実施の形態２は以上の如き構成としてあり、その他の構成及び作用は実施の形態１と同様であるので、対応する部分には同一の参照番号を付してその詳細な説明を省略する。
【０１２０】
実施の形態３
図３７は実施の形態３に係る統合サーバ１の構成を示すブロック図である。実施の形態３に係る統合サーバ１を動作させるためのプログラムは、本実施の形態３のように、ＣＤ−ＲＯＭ、ＭＯ、またはＤＶＤ−ＲＯＭ等の可搬型記録媒体１Ａで提供することも可能である。さらに、プログラムを、通信網Ｎを介して図示しないサーバコンピュータからダウンロードすることも可能である。以下に、その内容を説明する。
【０１２１】
図３７に示す統合サーバ１の図示しないリーダ／ライタに、リンク先を送信させ、完了情報及び識別情報を受信させ、全ての完了情報を受信したかを判断させ、並びに、特別リンク先を読み出させるコンピュータプログラムが記録された可搬型記録媒体１Ａ（ＣＤ−ＲＯＭ、ＭＯ又はＤＶＤ−ＲＯＭ等）を、挿入して記憶部１５の制御プログラム１５Ｐ内にこのプログラムをインストールする。または、かかるプログラムを、通信部１６を介して外部の図示しないサーバコンピュータからダウンロードし、記憶部１５にインストールするようにしても良い。かかるプログラムはＲＡＭ１２にロードして実行される。これにより、上述のような統合サーバ１として機能する。
【０１２２】
本実施の形態３は以上の如き構成としてあり、その他の構成及び作用は実施の形態１及び２と同様であるので、対応する部分には同一の参照番号を付してその詳細な説明を省略する。
【図面の簡単な説明】
【０１２３】
【図１】送信支援システムの概要を示す模式図である。
【図２】携帯電話機のハードウェア構成を示すブロック図である。
【図３】Ｗｅｂサーバのハードウェア構成を示すブロック図である。
【図４】履歴ファイルのレコードレイアウトを示す説明図である。
【図５】一部楽曲配信サイトとして機能するＷｅｂサーバのハードウェア構成を示すブロック図である。
【図６】履歴ファイルのレコードレイアウトを示す説明図である。
【図７】カラオケ配信サイトとして機能するＷｅｂサーバのハードウェア構成を示すブロック図である。
【図８】履歴ファイルのレコードレイアウトを示す説明図である。
【図９】携帯電話機からＷｅｂサーバへアクセスした際に、携帯電話機のブラウザに表示される案内画面のイメージを示す説明図である。
【図１０】携帯電話機からＷｅｂサーバへアクセスした際に、携帯電話機のブラウザに表示される案内画面のイメージを示す説明図である。
【図１１】統合サーバのハードウェア構成を示すブロック図である。
【図１２】リンク先記憶部のレコードレイアウトを示す説明図である。
【図１３】楽曲データ、一部楽曲データ及びカラオケデータをダウンロードするためのページのイメージを示す説明図である。
【図１４】配信履歴ファイルのレコードレイアウトを示す説明図である。
【図１５】全てのデータの配信が完了した場合の表示イメージを示す説明図である。
【図１６】特別リンク記憶部のレコードレイアウトを示す説明図である。
【図１７】ポイントファイルのレコードレイアウトを示す説明図である。
【図１８】補助リンク先へアクセスする際のイメージを示す説明図である。
【図１９】補助リンク記憶部のレコードレイアウトを示す説明図である。
【図２０】楽曲データの配信処理の手順を示すフローチャートである。
【図２１】楽曲データの配信処理の手順を示すフローチャートである。
【図２２】楽曲データの配信処理の手順を示すフローチャートである。
【図２３】カラオケデータをダウンロードする際の処理手順を示すフローチャートである。
【図２４】カラオケデータをダウンロードする際の処理手順を示すフローチャートである。
【図２５】複数のハイパーリンクを含むＨＴＭＬ文書の生成処理の手順を示すフローチャートである。
【図２６】複数のハイパーリンクを含むＨＴＭＬ文書の生成処理の手順を示すフローチャートである。
【図２７】実施の形態２に係る統合サーバのハードウェア構成を示すブロック図である。
【図２８】グループのレコードレイアウトを示す説明図である。
【図２９】グループ登録を行う際のイメージを示す説明図である。
【図３０】実施の形態２に係る配信履歴ファイルのレコードレイアウトを示す説明図である。
【図３１】配信完了を示すメールのイメージを示す説明図である。
【図３２】グループ内におけるダウンロード画面のイメージを示す説明図である。
【図３３】全てのデータについてダウンロードが完了した際のイメージを示す説明図である。
【図３４】グループ登録処理の手順を示すフローチャートである。
【図３５】ダウンロード状況の通知処理を示すフローチャートである。
【図３６】ダウンロード状況の通知処理を示すフローチャートである。
【図３７】実施の形態３に係る統合サーバの構成を示すブロック図である。
【符号の説明】
【０１２４】
１      統合サーバ
１Ａ    可搬型記録媒体
２      携帯電話機
３Ａ、３Ｂ、３Ｃ    Ｗｅｂサーバ
３ＡＷ  歌詞ＤＢ
１１    ＣＰＵ（制御部）
１２    ＲＡＭ
１３    入力部
１４    表示部
１５    記憶部
１５Ｐ  制御プログラム
１６    通信部
２１    ＣＰＵ（制御部）
２２    ＲＡＭ
２３    入力部
２４    表示部
２５    記憶部
２５Ｐ  制御プログラム
２６    通信部
２８    マイク
２９    スピーカ
３Ａ１  ＣＰＵ
３Ａ３  入力部
３Ａ４  表示部
３Ａ５  記憶部
３Ａ６  通信部
３Ａ８  時計部
３Ａ５１  履歴ファイル
３Ａ５２  ポイントファイル
３ＢＰ  一部楽曲ＤＢ
３ＣＫ  カラオケＤＢ
３ＡＷ  歌詞ＤＢ
３ＡＭ  楽曲ＤＢ
１５１  リンク先記憶部
１５２  配信履歴ファイル
１５３  特別リンク記憶部
１５４  ポイントファイル
１５５  補助リンク記憶部
１５６  グループＤＢ
２１０  時計部
２１１  ＵＩＤ記憶部
２５１  ブラウザ
２５２  再生アプリケーション
Ｎ      通信網
【図１】
2008275702.tif 000003
【図２】
2008275702.tif 000004
【図３】
2008275702.tif 000005
【図４】
2008275702.tif 000006
【図５】
2008275702.tif 000007
【図６】
2008275702.tif 000008
【図７】
2008275702.tif 000009
【図８】
2008275702.tif 000010
【図９】
2008275702.tif 000011
【図１０】
2008275702.tif 000012
【図１１】
2008275702.tif 000013
【図１２】
2008275702.tif 000014
【図１３】
2008275702.tif 000015
【図１４】
2008275702.tif 000016
【図１５】
2008275702.tif 000017
【図１６】
2008275702.tif 000018
【図１７】
2008275702.tif 000019
【図１８】
2008275702.tif 000020
【図１９】
2008275702.tif 000021
【図２０】
2008275702.tif 000022
【図２１】
2008275702.tif 000023
【図２２】
2008275702.tif 000024
【図２３】
2008275702.tif 000025
【図２４】
2008275702.tif 000026
【図２５】
2008275702.tif 000027
【図２６】
2008275702.tif 000028
【図２７】
2008275702.tif 000029
【図２８】
2008275702.tif 000030
【図２９】
2008275702.tif 000031
【図３０】
2008275702.tif 000032
【図３１】
2008275702.tif 000033
【図３２】
2008275702.tif 000034
【図３３】
2008275702.tif 000035
【図３４】
2008275702.tif 000036
【図３５】
2008275702.tif 000037
【図３６】
2008275702.tif 000038
【図３７】
2008275702.tif 000039